(57)【要約】【課題】複数のカラーフィルタ担持体を用いて複数色のカラーフィルタのいずれか１つを択一的に設定する。【解決手段】光源１２から光を時分割色分離装置１８に入射させる。時分割色分離装置１８のサブカラーホイール１４Ａ、１４Ｂの基準点を合わせ、又はずらすことによって択一的に設定されたカラーリングで、光は時分割で色分離される。各色光は、導光路２０、コンデンスレンズ２２、ミラー２４を経て反射型表示デバイス２６に入射され、そこで制御部２８の制御の下に上記色分離と同期して電気的に制御されて光量が変化させられる。反射型表示デバイス２６から出射された各色光は、投射レンズ部３０を介して投影スクリーン上へ投射される。【選択図】      図１
2004245886.tif 000002
【特許請求の範囲】
【請求項１】
それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールを備える時分割映像表示装置であって、
少なくとも２枚以上の前記カラーホイールを備えてなると共に、これらのカラーホイールが、異なる種類の前記カラーフィルタ同士は重ならないが、少なくとも１つの前記透過領域の一部又は全部は、任意のカラーフィルタと重なるという条件の下で、互いに、軸心を共通にして、かつ、当接状態で、或るいは、所定の距離隔てられた状態で、重ね合わせられてなることを特徴とする時分割映像表示装置。
【請求項２】
前記重ね合わせの前記条件は、前記各カラーホイールのカラーフィルタ間のうちの、前記各カラーフィルタの位置合わせの基準となる前記各カラーホイールの基準境界間に予め決められた距離だけ相対的なずれを生じさせることを含むことを特徴とする請求項１記載の時分割映像表示装置。
【請求項３】
前記各カラーホイールの基準境界は、互いの前記カラーホイールの周上に凹凸で示されていることを特徴とする請求項２記載の時分割映像表示装置。
【請求項４】
それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールで色分離を時分割で行い、該時分割で色分離された各色光を前記時分割と同期したタイミングで制御し、制御された前記各色光で映像表示を行う時分割映像表示方法であって、
複数枚の前記カラーホイールの異なる種類の前記カラーフィルタ同士は重ならないが、少なくとも１つの前記透過領域の一部又は全部は、任意のカラーフィルタと重なるという条件の下で、複数枚の前記カラーホイールを、互いに、軸心を共通にして、かつ、当接状態で、或るいは、所定の距離隔てられた状態で、重ね合わせ、複数枚の前記カラーホイールで色分離を行うことを特徴とする時分割映像表示方法。
【請求項５】
前記重ね合わせの前記条件は、前記各カラーホイールのカラーフィルタ間のうちの、前記各カラーフィルタの位置合わせの基準となる前記各カラーホイールの基準境界間に予め決められた距離だけ相対的なずれを生じさせることを含むことを特徴とする請求項４記載の時分割映像表示方法。
【請求項６】
それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールを複数枚、これらのカラーホイールの異なる種類の前記カラーフィルタ同士は重ならないが、少なくとも１つの前記透過領域の一部又は全部は、任意のカラーフィルタと重なるという条件の下で、互いに、軸心を共通にして、かつ、当接状態で、或るいは、所定の距離隔てられた状態で、重ね合わせてなることを特徴とするカラーホイール組立体。
【請求項７】
前記重ね合わせの前記条件は、前記各カラーホイールのカラーフィルタ間のうちの、前記各カラーフィルタの位置合わせの基準となる前記各カラーホイールの基準境界間に予め決められた距離だけ相対的なずれを生じさせることを含むことを特徴とする請求項６記載のカラーホイール組立体。
【請求項８】
前記各カラーホイールの基準境界は、互いの前記カラーホイールの周上に凹凸で示されていることを特徴とする請求項７記載のカラーホイール組立体。
【請求項９】
少なくとも２枚以上の前記カラーホイールは、同一サイズの２枚のカラーホイールからなり、
各カラーホイールは、それぞれ、赤の原色光のみを透過させる第１のカラーフィルタと、緑の原色光のみを透過させる第２のカラーフィルタと、青の原色光のみを透過させる第３のカラーフィルタと、前記第１のカラーフィルタ、前記第２のカラーフィルタ及び前記第３のカラーフィルタの各カラーフィルタ間の全ての原色光を透過させる透過領域とを形成しており、
前記第１のカラーホイールの前記基準境界と前記第２のカラーホイールの前記基準境界とを一致させた場合に前記両カラーホイールで合成される赤の原色光のみを透過させる第４のカラーフィルタを前記両カラーホイールの回転中心から挟む挟角Ｒ１、緑の原色光のみを透過させる第５のカラーフィルタを前記両カラーホイールの回転中心から挟む挟角Ｇ１、青の原色光のみを透過させる第６のカラーフィルタを前記両カラーホイールの回転中心から挟む挟角Ｂ１及び前記第５のカラーフィルタと前記第６のカラーフィルタとの間の全ての原色光を透過させる第１の透過領域を前記両カラーホイールの回転中心から挟む挟角Ａ１と、前記第１のカラーホイールの前記基準境界と前記第２のカラーホイールの前記基準境界とを所定の回転方向に所定の角度変位だけ変位させた場合に前記両カラーホイールで合成される赤の原色光のみを透過させる第７のカラーフィルタを前記両カラーホイールの回転中心から挟む挟角Ｒ２、緑の原色光のみを透過させる第８のカラーフィルタを前記両カラーホイールの回転中心から挟む挟角Ｇ２、青の原色光のみを透過させる第９のカラーフィルタを前記両カラーホイールの回転中心から挟む挟角Ｂ２及び前記第８のカラーフィルタと前記第９のカラーフィルタとの間の全ての原色光を透過させる第２の透過領域を前記両カラーホイールの回転中心から挟む挟角Ａ２とを下式（１）を成立させる任意の挟角に選定したとき、選定された挟角において下式（２）を成立させる前記第１のカラーホイールの前記各カラーフィルタ及び前記透過領域を前記第１のカラーホイールの回転中心から挟む挟角を決定し、
決定された前記第１のカラーホイールの前記各カラーフィルタ及び前記透過領域を前記第１のカラーホイールの回転中心から挟む前記挟角において、下式（３）を成立させる前記第２のカラーホイールの前記各カラーフィルタ及び前記透過領域を前記第２のカラーホイールの回転中心から挟む挟角を決定し、
前記第１及び第２のカラーホイールの前記各カラーフィルタ及び前記透過領域は、それぞれ、決定された前記挟角で形成されていることを特徴とする請求項２又は３記載の時分割映像表示装置。
【数１】
2004245886.tif 000012
【数２】
2004245886.tif 000013
但し、式（２）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
【数３】
2004245886.tif 000014
但し、式（３）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
また、式（３）中の符号Ｒｒｂ２、Ｒｒ２、Ｒｇｒ２、Ｗｇｒ２、Ｇｇｒ２、Ｇｇ２、Ｇａｇ２、Ｗａｇ２、Ａａｇ２、Ａａ２、Ａｂａ２、Ｗｂａ２、Ｂｂａ２、Ｂｂ２、Ｂｒｂ２及びＷｒｂ２は、それぞれ、前記第２のカラーホイールの前記基準境界から円周方向に、順次、形成された赤色フィルタの第１の領域、赤色フィルタの第２の領域、赤色フィルタの第３の領域、第１の白色フィルタ、緑色フィルタの第１の領域、緑色フィルタの第２の領域、緑色フィルタの第３の領域、第２の白色フィルタの第１の領域、第２の白色フィルタの第２の領域、第２の白色フィルタの第３の領域、第２の白色フィルタの第４の領域、第２の白色フィルタの第５の領域（第２の白色フィルタの第２の領域は、第２の白色フィルタの第３の領域、第２の白色フィルタの第４の領域及び第２の白色フィルタの第５の領域の一部と重なっている）、青色フィルタの第１の領域、青色フィルタの第２の領域、青色フィルタの第３の領域及び第３の白色フィルタの各々を前記第２のカラーホイールの回転中心から挟む挟角の各々である。なお、Ｗａｇ２＝０゜である。
【請求項１０】
前記所定の変位角度は、該変位角度より所定の値だけ小さい角度又は大きい角度に設定されることを特徴とする請求項９記載の時分割映像表示装置。
【請求項１１】
少なくとも２枚以上の前記カラーホイールは、同一サイズの２枚のカラーホイールからなり、
各カラーホイールは、それぞれ、赤の原色光のみを透過させる第１のカラーフィルタと、緑の原色光のみを透過させる第２のカラーフィルタと、青の原色光のみを透過させる第３のカラーフィルタと、前記第１のカラーフィルタ、前記第２のカラーフィルタ及び前記第３のカラーフィルタの各カラーフィルタ間の全ての原色光を透過させる透過領域とを形成しており、
前記第１のカラーホイールの前記基準境界と前記第２のカラーホイールの前記基準境界とを一致させた場合に前記両カラーホイールで合成される赤の原色光のみを透過させる第４のカラーフィルタを前記両カラーホイールの回転中心から挟む挟角Ｒ１、緑の原色光のみを透過させる第５のカラーフィルタを前記両カラーホイールの回転中心から挟む挟角Ｇ１、青の原色光のみを透過させる第６のカラーフィルタを前記両カラーホイールの回転中心から挟む挟角Ｂ１及び前記第５のカラーフィルタと前記第６のカラーフィルタとの間の全ての原色光を透過させる第１の透過領域を前記両カラーホイールの回転中心から挟む挟角Ａ１と、前記第１のカラーホイールの前記基準境界と前記第２のカラーホイールの前記基準境界とを所定の回転方向に所定の角度変位だけ変位させた場合に前記両カラーホイールで合成される赤の原色光のみを透過させる第７のカラーフィルタを前記両カラーホイールの回転中心から挟む挟角Ｒ２、緑の原色光のみを透過させる第８のカラーフィルタを前記両カラーホイールの回転中心から挟む挟角Ｇ２、青の原色光のみを透過させる第９のカラーフィルタを前記両カラーホイールの回転中心から挟む挟角Ｂ２及び前記第８のカラーフィルタと前記第９のカラーフィルタとの間の全ての原色光を透過させる第２の透過領域を前記両カラーホイールの回転中心から挟む挟角Ａ２とを下式（４）を成立させる任意の挟角に選定したとき、選定された挟角において下式（５）を成立させる前記第１のカラーホイールの前記各カラーフィルタ及び前記透過領域を前記第１のカラーホイールの回転中心から挟む挟角を決定し、
決定された前記第１のカラーホイールの前記各カラーフィルタ及び前記透過領域を前記第１のカラーホイールの回転中心から挟む前記挟角において、下式（６）を成立させる前記第２のカラーホイールの前記各カラーフィルタ及び前記透過領域を前記第２のカラーホイールの回転中心から挟む挟角を決定し、
前記第１及び第２のカラーホイールの前記各カラーフィルタ及び前記透過領域は、それぞれ、決定された前記挟角で形成されていることを特徴とする請求項７又は８記載のカラーホイール組立体。
【数４】
2004245886.tif 000015
【数５】
2004245886.tif 000016
但し、式（５）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
【数６】
2004245886.tif 000017
但し、式（６）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
また、式（６）中の符号Ｒｒｂ２、Ｒｒ２、Ｒｇｒ２、Ｗｇｒ２、Ｇｇｒ２、Ｇｇ２、Ｇａｇ２、Ｗａｇ２、Ａａｇ２、Ａａ２、Ａｂａ２、Ｗｂａ２、Ｂｂａ２、Ｂｂ２、Ｂｒｂ２及びＷｒｂ２は、それぞれ、前記第２のカラーホイールの前記基準境界から円周方向に、順次、形成された赤色フィルタの第１の領域、赤色フィルタの第２の領域、赤色フィルタの第３の領域、第１の白色フィルタ、緑色フィルタの第１の領域、緑色フィルタの第２の領域、緑色フィルタの第３の領域、第２の白色フィルタの第１の領域、第２の白色フィルタの第２の領域、第２の白色フィルタの第３の領域、第２の白色フィルタの第４の領域、第２の白色フィルタの第５の領域（第２の白色フィルタの第２の領域は、第２の白色フィルタの第３の領域、第２の白色フィルタの第４の領域及び第２の白色フィルタの第５の領域の一部と重なっている）、青色フィルタの第１の領域、青色フィルタの第２の領域、青色フィルタの第３の領域及び第３の白色フィルタの各々を前記第２のカラーホイールの回転中心から挟む挟角の各々である。なお、Ｗａｇ２＝０゜である。
【請求項１２】
前記所定の変位角度は、該変位角度より所定の値だけ小さい角度又は大きい角度に設定されることを特徴とする請求項１１記載のカラーホイール組立体。
【請求項１３】
少なくとも２枚以上の前記カラーホイールは、同一サイズの第１のカラーホイール及び第２のカラーホイールからなり、
前記第１のカラーホイールは、赤の原色光のみを透過させる第１のカラーフィルタと、緑の原色光のみを透過させる第２のカラーフィルタと、青の原色光のみを透過させる第３のカラーフィルタと、前記第１のカラーフィルタ、前記第２のカラーフィルタ及び前記第３のカラーフィルタのいずれかの間の全ての原色光を透過させる透過領域とを形成しており、
前記第２のカラーホイールは、前記第１のカラーホイールの前記透過領域と隣り合わせたいずれかのカラーフィルタとの間の前記基準境界と位置合わせされる前記第２のカラーホイールの前記基準境界の両側の各カラーフィルタを、それぞれ、該各カラーフィルタに対応する前記第１のカラーフィルタの前記基準境界と隣り合わせたいずれかの前記カラーフィルタ及び該カラーフィルタと前記透過領域を挟んで位置するいずれかの前記カラーフィルタと対応した同一のカラーフィルタで、かつ、前記第１のカラーフィルタの基準境界と隣り合わせている前記透過領域と同一の大きさで形成したことを特徴とする請求項２又は３記載の時分割映像表示装置。
【請求項１４】
少なくとも２枚以上の前記カラーホイールは、同一サイズの第１のカラーホイール及び第２のカラーホイールからなり、
前記第１のカラーホイールは、赤の原色光のみを透過させる第１のカラーフィルタと、緑の原色光のみを透過させる第２のカラーフィルタと、青の原色光のみを透過させる第３のカラーフィルタと、前記第１のカラーフィルタ、前記第２のカラーフィルタ及び前記第３のカラーフィルタのいずれかの間の全ての原色光を透過させる透過領域とを形成しており、
前記第２のカラーホイールは、前記第１のカラーホイールの前記透過領域と隣り合わせたいずれかのカラーフィルタとの間の前記基準境界と位置合わせされる前記第２のカラーホイールの前記基準境界の両側の各カラーフィルタを、それぞれ、該各カラーフィルタに対応する前記第１のカラーフィルタの前記基準境界と隣り合わせたいずれかの前記カラーフィルタ及び該カラーフィルタと前記透過領域を挟んで位置するいずれかの前記カラーフィルタと対応した同一のカラーフィルタで、かつ、前記第１のカラーフィルタの基準境界と隣り合わせている前記透過領域と同一の大きさで形成したことを特徴とする請求項７又は８記載のカラーホイール組立体。
【請求項１５】
少なくとも２枚以上の前記カラーホイールは、同一サイズの第１、第２及び第３のカラーホイールからなり、
前記第１のカラーホイールは、赤の原色光のみを透過させる第１のカラーフィルタと、緑の原色光のみを透過させる第２のカラーフィルタと、青の原色光のみを透過させる第３のカラーフィルタと、前記第１のカラーフィルタ、前記第２のカラーフィルタ及び前記第３のカラーフィルタのいずれかの少なくとも２つのカラーフィルタ間の全ての原色光を透過させる透過領域とを形成しており、
前記第２のカラーホイールは、前記第１のカラーホイールのいずれか１つの前記透過領域と隣り合わせたいずれかのカラーフィルタとの間の第１の前記基準境界と位置合わせされる前記第２のカラーホイールの前記基準境界の両側の各カラーフィルタを、それぞれ、該各カラーフィルタに対応する前記第１のカラーホイールの第１の前記基準境界と隣り合わせたいずれかの前記カラーフィルタ及び該カラーフィルタといずれか１つの前記透過領域を挟んで位置するいずれかの前記カラーフィルタと対応した同一のカラーフィルタで、かつ、前記第１のカラーホイールの第１の前記基準境界と隣り合わせているいずれか１つの前記透過領域と同一の大きさで形成すると共に、
前記第３のカラーホイールは、前記第１のカラーホイールのいずれかもう１つの前記透過領域と隣り合わせたいずれかのカラーフィルタとの間の第２の前記基準境界と位置合わせされる前記第３のカラーホイールの前記基準境界の両側のカラーフィルタを、それぞれ、該各カラーフィルタに対応する前記第１のカラーホイールの第２の前記基準境界と隣り合わせたいずれかの前記カラーフィルタ及び該カラーフィルタといずれかもう１つの前記透過領域を挟んで位置するいずれかの前記カラーフィルタと対応した同一のカラーフィルタで、かつ、前記第１のカラーホイールの第２の前記基準境界と隣り合わせているいずれかもう１つの前記透過領域と同一の大きさで形成していることを特徴とする請求項２又は３記載の時分割映像表示装置。
【請求項１６】
少なくとも２枚以上の前記カラーホイールは、同一サイズの第１、第２及び第３のカラーホイールからなり、
前記第１のカラーホイールは、赤の原色光のみを透過させる第１のカラーフィルタと、緑の原色光のみを透過させる第２のカラーフィルタと、青の原色光のみを透過させる第３のカラーフィルタと、前記第１のカラーフィルタ、前記第２のカラーフィルタ及び前記第３のカラーフィルタのいずれかの少なくとも２つのカラーフィルタ間の全ての原色光を透過させる透過領域とを形成しており、
前記第２のカラーホイールは、前記第１のカラーホイールのいずれか１つの前記透過領域と隣り合わせたいずれかのカラーフィルタとの間の第１の前記基準境界と位置合わせされる前記第２のカラーホイールの前記基準境界の両側の各カラーフィルタを、それぞれ、該各カラーフィルタに対応する前記第１のカラーホイールの第１の前記基準境界と隣り合わせたいずれかの前記カラーフィルタ及び該カラーフィルタといずれか１つの前記透過領域を挟んで位置するいずれかの前記カラーフィルタと対応した同一のカラーフィルタで、かつ、前記第１のカラーホイールの第１の前記基準境界と隣り合わせているいずれか１つの前記透過領域と同一の大きさで形成すると共に、
前記第３のカラーホイールは、前記第１のカラーホイールのいずれかもう１つの前記透過領域と隣り合わせたいずれかのカラーフィルタとの間の第２の前記基準境界と位置合わせされる前記第３のカラーホイールの前記基準境界の両側のカラーフィルタを、それぞれ、該各カラーフィルタに対応する前記第１のカラーホイールの第２の前記基準境界と隣り合わせたいずれかの前記カラーフィルタ及び該カラーフィルタといずれかもう１つの前記透過領域を挟んで位置するいずれかの前記カラーフィルタと対応した同一のカラーフィルタで、かつ、前記第１のカラーホイールの第２の前記基準境界と隣り合わせているいずれかもう１つの前記透過領域と同一の大きさで形成していることを特徴とする請求項７又は８記載のカラーホイール組立体。
【発明の詳細な説明】
【０００１】
【発明の属する技術分野】
この発明は、時分割映像表示方法及び装置並びにカラーホイール組立体に関し、詳しくは複数のカラーホィールのカラーフィルタ及び透過領域の位置合わせをすることにより複数のカラーホィールに複数種類のカラーリングのうちの１つを択一的に設定させる時分割映像表示方法及び装置並びにカラーホイール組立体に関する。
【０００２】
【従来の技術】
１枚のカラーホィールを用いて光源からの光を時分割で色分離を行い、色分離された各成分光を前記色分離と同期した電気的な制御により光量を変化させ、その各成分光によって映像表示を行う時分割映像表示装置は、従来から知られている。その時分割映像表示装置を図１９に示す。
図１９に示すように、従来の時分割映像表示装置１１０は、光源部１２と、１枚のカラーホィール１１４を１個のモータ１６の回転軸に軸支して成り、光源部１２からの入射光を時分割で色分離を行って出射する時分割色分離装置１１８と、時分割色分離装置１１８から出射された光を導く導光路（ライトトンネル）２０と、導光路２０からの光を集光するコンデンスレンズ２２と、コンデンスレンズ２２からの光を反射するミラー２４と、時分割色分離装置１１８で時分割で色分離され導光路２０、コンデンスレンズ２２及びミラー２４を経て入射される赤色光成分Ｒ、緑色光成分Ｇ、青色光成分Ｂ及び白色光Ｗの各々を色分離と同期して電気的に制御して光量を変化させる反射型表示デバイス２６と、反射型表示デバイス２６の制御を行う制御部１２８と、反射型表示デバイス２６で反射された赤色光成分Ｒ、緑色光成分Ｇ、青色光成分Ｂ及び白色光Ｗの各々を投影スクリーン（図示せず）上へ投射する投射レンズ部３０とを有して構成されている。
【０００３】
図２０は、時分割映像表示装置１１０に用いられるカラーホィール１１４の構成を示す。図２０の（ａ）は、一般に明るさを求めるプレゼンテーション向けの時分割映像表示装置１１０で用いられるカラーホィールの例で、そのカラーホィール１１４ａは、映像信号の赤色光成分Ｒと、映像信号の緑色光成分Ｇと、映像信号の青色光成分Ｂと、映像信号の各色光成分Ｒ、Ｇ、Ｂより求めた輝度成分Ｗとに対応する各カラーフィルタ、すなわち、赤色光成分Ｒを透過させる赤色フィルタと、緑色光成分Ｇを透過させる緑色フィルタと、青色光成分Ｂを透過させる青色フィルタと、各色光成分Ｒ、Ｇ、Ｂの全ての光成分（白色光）を透過させる白色（全色）フィルタとの４つのカラーフィルタから成る帯状のカラーリングが形成されて構成されている。４つのカラーフィルタの各々をカラーホイール１１４ａの回転中心から挟む挟角は、それぞれ、赤色フィルタが１１０゜、緑色フィルタが１０９゜、白色フィルタが５２゜、そして青色フィルタが８９゜である。
【０００４】
また、他の例として、色を重視したホームシアター向けの時分割映像表示装置２０で用いられるカラーホィールの例で、そのカラーホィール１１４ｂは、図２０の（ｂ）に示すように、図２０の（ａ）において、全色フィルタを持たない帯状のカラーリングとして形成されて構成されている。カラーホイール１１４ｂの３つのカラーフィルタの各々をカラーホイール１１４ｂの回転中心から挟む挟角は、それぞれ、赤色フィルタが１２８゜、緑色フィルタが１２８゜、そして青色フィルタが１０４゜である。
【０００５】
【発明が解決しようとする課題】
しかしながら、上述したカラーホィールのそれぞれの例から判るように、カラーホィールの色光透過状態毎のカラーフィルタをカラーホィールに形成しなければならないから、図２０の（ａ）に示すカラーホィールで生じさせ得る色光透過状態と図２０の（ｂ）に示すカラーホィールで生じさせ得る色光透過状態とは、全く別個のカラーホィールを用いてのみしか生じさせ得ない。
【０００６】
この発明は、上述の事情に鑑みてなされたもので、複数のカラーホィールのカラーフィルタ及び透過領域の位置合わせをすることにより複数のカラーホィールに複数種類のカラーリングのうちの１つを択一的に設定することができる時分割映像表示方法及び装置並びにカラーホイール組立体を提供することを目的としている。
【０００７】
【課題を解決するための手段】
上記課題を解決するために、請求項１記載の発明は、それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールを備える時分割映像表示装置に係り、少なくとも２枚以上の上記カラーホイールを備えてなると共に、これらのカラーホイールが、異なる種類の上記カラーフィルタ同士は重ならないが、少なくとも１つの上記透過領域の一部又は全部は、任意のカラーフィルタと重なるという条件の下で、互いに、軸心を共通にして、かつ、当接状態で、或るいは、所定の距離隔てられた状態で、重ね合わせられてなることを特徴としている。
【０００８】
請求項２記載の発明は、請求項１記載の時分割映像表示装置に係り、上記重ね合わせの上記条件は、上記各カラーホイールのカラーフィルタ間のうちの、上記各カラーフィルタの位置合わせの基準となる上記各カラーホイールの基準境界間に予め決められた距離だけ相対的なずれを生じさせることを含むことを特徴としている。
【０００９】
請求項３記載の発明は、請求項２記載の時分割映像表示装置に係り、上記各カラーホイールの基準境界は、互いの上記カラーホイールの周上に凹凸で示されていることを特徴としている。
【００１０】
請求項４記載の発明は、それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールで色分離を時分割で行い、該時分割で色分離された各色光を上記時分割と同期したタイミングで制御し、制御された上記各色光で映像表示を行う時分割映像表示方法に係り、複数枚の上記カラーホイールの異なる種類の上記カラーフィルタ同士は重ならないが、少なくとも１つの上記透過領域の一部又は全部は、任意のカラーフィルタと重なるという条件の下で、複数枚の上記カラーホイールを、互いに、軸心を共通にして、かつ、当接状態で、或るいは、所定の距離隔てられた状態で、重ね合わせ、複数枚の上記カラーホイールで色分離を行うことを特徴としている。
【００１１】
請求項５記載の発明は、請求項４記載の時分割映像表示方法に係り、上記重ね合わせの上記条件は、上記各カラーホイールのカラーフィルタ間のうちの、上記各カラーフィルタの位置合わせの基準となる上記各カラーホイールの基準境界間に予め決められた距離だけ相対的なずれを生じさせることを含むことを特徴としている。
【００１２】
請求項６記載の発明は、カラーホイール組立体に係り、それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールを複数枚、これらのカラーホイールの異なる種類の上記カラーフィルタ同士は重ならないが、少なくとも１つの上記透過領域の一部又は全部は、任意のカラーフィルタと重なるという条件の下で、互いに、軸心を共通にして、かつ、当接状態で、或るいは、所定の距離隔てられた状態で、重ね合わせてなることを特徴としている。
【００１３】
請求項７記載の発明は、請求項６記載のカラーホイール組立体に係り、上記重ね合わせの上記条件は、上記各カラーホイールのカラーフィルタ間のうちの、上記各カラーフィルタの位置合わせの基準となる上記各カラーホイールの基準境界間に予め決められた距離だけ相対的なずれを生じさせることを含むことを特徴としている。
【００１４】
請求項８記載の発明は、請求項７記載のカラーホイール組立体に係り、上記各カラーホイールの基準境界は、互いの上記カラーホイールの周上に凹凸で示されていることを特徴としている。
【００１５】
請求項９記載の発明は、請求項２又は３記載の時分割映像表示装置に係り、少なくとも２枚以上の上記カラーホイールは、同一サイズの２枚のカラーホイールからなり、各カラーホイールは、それぞれ、赤の原色光のみを透過させる第１のカラーフィルタと、緑の原色光のみを透過させる第２のカラーフィルタと、青の原色光のみを透過させる第３のカラーフィルタと、上記第１のカラーフィルタ、上記第２のカラーフィルタ及び上記第３のカラーフィルタの各カラーフィルタ間の全ての原色光を透過させる透過領域とを形成しており、上記第１のカラーホイールの上記基準境界と上記第２のカラーホイールの上記基準境界とを一致させた場合に上記両カラーホイールで合成される赤の原色光のみを透過させる第４のカラーフィルタを上記両カラーホイールの回転中心から挟む挟角Ｒ１、緑の原色光のみを透過させる第５のカラーフィルタを上記両カラーホイールの回転中心から挟む挟角Ｇ１、青の原色光のみを透過させる第６のカラーフィルタを上記両カラーホイールの回転中心から挟む挟角Ｂ１及び上記第５のカラーフィルタと上記第６のカラーフィルタとの間の全ての原色光を透過させる第１の透過領域を上記両カラーホイールの回転中心から挟む挟角Ａ１と、上記第１のカラーホイールの上記基準境界と上記第２のカラーホイールの上記基準境界とを所定の回転方向に所定の角度変位だけ変位させた場合に上記両カラーホイールで合成される赤の原色光のみを透過させる第７のカラーフィルタを上記両カラーホイールの回転中心から挟む挟角Ｒ２、緑の原色光のみを透過させる第８のカラーフィルタを上記両カラーホイールの回転中心から挟む挟角Ｇ２、青の原色光のみを透過させる第９のカラーフィルタを上記両カラーホイールの回転中心から挟む挟角Ｂ２及び上記第８のカラーフィルタと上記第９のカラーフィルタとの間の全ての原色光を透過させる第２の透過領域を上記両カラーホイールの回転中心から挟む挟角Ａ２とを下式（７）を成立させる任意の挟角に選定したとき、選定された挟角において下式（８）を成立させる上記第１のカラーホイールの上記各カラーフィルタ及び上記透過領域を上記第１のカラーホイールの回転中心から挟む挟角を決定し、決定された上記第１のカラーホイールの上記各カラーフィルタ及び上記透過領域を上記第１のカラーホイールの回転中心から挟む上記挟角において、下式（９）を成立させる上記第２のカラーホイールの上記各カラーフィルタ及び上記透過領域を上記第２のカラーホイールの回転中心から挟む挟角を決定し、上記第１及び第２のカラーホイールの上記各カラーフィルタ及び上記透過領域は、それぞれ、決定された上記挟角で形成されていることを特徴としている。
【００１６】
【数７】
2004245886.tif 000003
【００１７】
【数８】
2004245886.tif 000004
但し、式（８）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
【００１８】
【数９】
2004245886.tif 000005
但し、式（９）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
また、式（９）中の符号Ｒｒｂ２、Ｒｒ２、Ｒｇｒ２、Ｗｇｒ２、Ｇｇｒ２、Ｇｇ２、Ｇａｇ２、Ｗａｇ２、Ａａｇ２、Ａａ２、Ａｂａ２、Ｗｂａ２、Ｂｂａ２、Ｂｂ２、Ｂｒｂ２及びＷｒｂ２は、それぞれ、前記第２のカラーホイールの前記基準境界から円周方向に、順次、形成された赤色フィルタの第１の領域、赤色フィルタの第２の領域、赤色フィルタの第３の領域、第１の白色フィルタ、緑色フィルタの第１の領域、緑色フィルタの第２の領域、緑色フィルタの第３の領域、第２の白色フィルタの第１の領域、第２の白色フィルタの第２の領域、第２の白色フィルタの第３の領域、第２の白色フィルタの第４の領域、第２の白色フィルタの第５の領域（第２の白色フィルタの第２の領域は、第２の白色フィルタの第３の領域、第３の白色フィルタの第４の領域及び第２の白色フィルタの第５の領域の一部と重なっている）、青色フィルタの第１の領域、青色フィルタの第２の領域、青色フィルタの第３の領域及び第３の白色フィルタの各々を前記第２のカラーホイールの回転中心から挟む挟角の各々である。なお、Ｗａｇ２＝０゜である。
【００１９】
請求項１０記載の発明は、請求項９記載の時分割映像表示装置に係り、上記所定の変位角度は、該変位角度より所定の値だけ小さい角度又は大きい角度に設定されることを特徴としている。
【００２０】
請求項１１記載の発明は、請求項７又は８記載のカラーホイール組立体に係り、少なくとも２枚以上の上記カラーホイールは、同一サイズの２枚のカラーホイールからなり、各カラーホイールは、それぞれ、赤の原色光のみを透過させる第１のカラーフィルタと、緑の原色光のみを透過させる第２のカラーフィルタと、青の原色光のみを透過させる第３のカラーフィルタと、上記第１のカラーフィルタ、上記第２のカラーフィルタ及び上記第３のカラーフィルタの各カラーフィルタ間の全ての原色光を透過させる透過領域とを形成しており、上記第１のカラーホイールの上記基準境界と上記第２のカラーホイールの上記基準境界とを一致させた場合に上記両カラーホイールで合成される赤の原色光のみを透過させる第４のカラーフィルタを上記両カラーホイールの回転中心から挟む挟角Ｒ１、緑の原色光のみを透過させる第５のカラーフィルタを上記両カラーホイールの回転中心から挟む挟角Ｇ１、青の原色光のみを透過させる第６のカラーフィルタを上記両カラーホイールの回転中心から挟む挟角Ｂ１及び上記第５のカラーフィルタと上記第６のカラーフィルタとの間の全ての原色光を透過させる第１の透過領域を上記両カラーホイールの回転中心から挟む挟角Ａ１と、上記第１のカラーホイールの上記基準境界と上記第２のカラーホイールの上記基準境界とを所定の回転方向に所定の角度変位だけ変位させた場合に上記両カラーホイールで合成される赤の原色光のみを透過させる第７のカラーフィルタを上記両カラーホイールの回転中心から挟む挟角Ｒ２、緑の原色光のみを透過させる第８のカラーフィルタを上記両カラーホイールの回転中心から挟む挟角Ｇ２、青の原色光のみを透過させる第９のカラーフィルタを上記両カラーホイールの回転中心から挟む挟角Ｂ２及び上記第８のカラーフィルタと上記第９のカラーフィルタとの間の全ての原色光を透過させる第２の透過領域を上記両カラーホイールの回転中心から挟む挟角Ａ２とを下式（１０）を成立させる任意の挟角に選定したとき、選定された挟角において下式（１１）を成立させる上記第１のカラーホイールの上記各カラーフィルタ及び上記透過領域を上記第１のカラーホイールの回転中心から挟む挟角を決定し、決定された上記第１のカラーホイールの上記各カラーフィルタ及び上記透過領域を上記第１のカラーホイールの回転中心から挟む上記挟角において、下式（１２）を成立させる上記第２のカラーホイールの上記各カラーフィルタ及び上記透過領域を上記第２のカラーホイールの回転中心から挟む挟角を決定し、上記第１及び第２のカラーホイールの上記各カラーフィルタ及び上記透過領域は、それぞれ、決定された上記挟角で形成されていることを特徴としている。
【００２１】
【数１０】
2004245886.tif 000006
【００２２】
【数１１】
2004245886.tif 000007
但し、式（１１）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
【００２３】
【数１２】
2004245886.tif 000008
但し、式（１２）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
また、式（１２）中の符号Ｒｒｂ２、Ｒｒ２、Ｒｇｒ２、Ｗｇｒ２、Ｇｇｒ２、Ｇｇ２、Ｇａｇ２、Ｗａｇ２、Ａａｇ２、Ａａ２、Ａｂａ２、Ｗｂａ２、Ｂｂａ２、Ｂｂ２、Ｂｒｂ２及びＷｒｂ２は、それぞれ、前記第２のカラーホイールの前記基準境界から円周方向に、順次、形成された赤色フィルタの第１の領域、赤色フィルタの第２の領域、赤色フィルタの第３の領域、第１の白色フィルタ、緑色フィルタの第１の領域、緑色フィルタの第２の領域、緑色フィルタの第３の領域、第２の白色フィルタの第１の領域、第２の白色フィルタの第２の領域、第２の白色フィルタの第３の領域、第２の白色フィルタの第４の領域、第２の白色フィルタの５の領域（第２の白色フィルタの第２の領域は、第２の白色フィルタの第３の領域、第２の白色フィルタの第４の領域及び第２の白色フィルタの第５の領域の一部と重なっている）、青色フィルタの第１の領域、青色フィルタの第２の領域、青色フィルタの第３の領域及び第３の白色フィルタの各々を前記第２のカラーホイールの回転中心から挟む挟角の各々である。なお、Ｗａｇ２＝０゜である。
【００２４】
請求項１２記載の発明は、請求項１１記載のカラーホイール組立体に係り、上記所定の変位角度は、該変位角度より所定の値だけ小さい角度又は大きい角度に設定されることを特徴としている。
【００２５】
請求項１３記載の発明は、請求項２又は３記載の時分割映像表示装置に係り、少なくとも２枚以上の上記カラーホイールは、同一サイズの第１のカラーホイール及び第２のカラーホイールからなり、上記第１のカラーホイールは、赤の原色光のみを透過させる第１のカラーフィルタと、緑の原色光のみを透過させる第２のカラーフィルタと、青の原色光のみを透過させる第３のカラーフィルタと、上記第１のカラーフィルタ、上記第２のカラーフィルタ及び上記第３のカラーフィルタのいずれかの間の全ての原色光を透過させる透過領域とを形成しており、
上記第２のカラーホイールは、上記第１のカラーホイールの上記透過領域と隣り合わせたいずれかのカラーフィルタとの間の上記基準境界と位置合わせされる上記第２のカラーホイールの上記基準境界の両側の各カラーフィルタを、それぞれ、該各カラーフィルタに対応する上記第１のカラーフィルタの上記基準境界と隣り合わせたいずれかの上記カラーフィルタ及び該カラーフィルタと上記透過領域を挟んで位置するいずれかの上記カラーフィルタと対応した同一のカラーフィルタで、かつ、上記第１のカラーフィルタの基準境界と隣り合わせている上記透過領域と同一の大きさで形成したことを特徴としている。
【００２６】
請求項１４記載の発明は、請求項７又は８記載のカラーホイール組立体に係り、少なくとも２枚以上の上記カラーホイールは、同一サイズの第１のカラーホイール及び第２のカラーホイールからなり、上記第１のカラーホイールは、赤の原色光のみを透過させる第１のカラーフィルタと、緑の原色光のみを透過させる第２のカラーフィルタと、青の原色光のみを透過させる第３のカラーフィルタと、上記第１のカラーフィルタ、上記第２のカラーフィルタ及び上記第３のカラーフィルタのいずれかの間の全ての原色光を透過させる透過領域とを形成しており、上記第２のカラーホイールは、上記第１のカラーホイールの上記透過領域と隣り合わせたいずれかのカラーフィルタとの間の上記基準境界と位置合わせされる上記第２のカラーホイールの上記基準境界の両側の各カラーフィルタを、それぞれ、該各カラーフィルタに対応する上記第１のカラーフィルタの上記基準境界と隣り合わせたいずれかの上記カラーフィルタ及び該カラーフィルタと上記透過領域を挟んで位置するいずれかの上記カラーフィルタと対応した同一のカラーフィルタで、かつ、上記第１のカラーフィルタの基準境界と隣り合わせている上記透過領域と同一の大きさで形成したことを特徴としている。
【００２７】
請求項１５記載の発明は、請求項２又は３記載の時分割映像表示装置に係り、少なくとも２枚以上の上記カラーホイールは、同一サイズの第１、第２及び第３のカラーホイールからなり、上記第１のカラーホイールは、赤の原色光のみを透過させる第１のカラーフィルタと、緑の原色光のみを透過させる第２のカラーフィルタと、青の原色光のみを透過させる第３のカラーフィルタと、上記第１のカラーフィルタ、上記第２のカラーフィルタ及び上記第３のカラーフィルタのいずれかの少なくとも２つのカラーフィルタ間の全ての原色光を透過させる透過領域とを形成しており、上記第２のカラーホイールは、上記第１のカラーホイールのいずれか１つの上記透過領域と隣り合わせたいずれかのカラーフィルタとの間の第１の上記基準境界と位置合わせされる上記第２のカラーホイールの上記基準境界の両側の各カラーフィルタを、それぞれ、該各カラーフィルタに対応する上記第１のカラーホイールの第１の上記基準境界と隣り合わせたいずれかの上記カラーフィルタ及び該カラーフィルタといずれか１つの上記透過領域を挟んで位置するいずれかの上記カラーフィルタと対応した同一のカラーフィルタで、かつ、上記第１のカラーホイールの第１の上記基準境界と隣り合わせているいずれか１つの上記透過領域と同一の大きさで形成すると共に、上記第３のカラーホイールは、上記第１のカラーホイールのいずれかもう１つの上記透過領域と隣り合わせたいずれかのカラーフィルタとの間の第２の上記基準境界と位置合わせされる上記第３のカラーホイールの上記基準境界の両側のカラーフィルタを、それぞれ、該各カラーフィルタに対応する上記第１のカラーホイールの第２の上記基準境界と隣り合わせたいずれかの上記カラーフィルタ及び該カラーフィルタといずれかもう１つの上記透過領域を挟んで位置するいずれかの上記カラーフィルタと対応した同一のカラーフィルタで、かつ、上記第１のカラーホイールの第２の上記基準境界と隣り合わせているいずれかもう１つの上記透過領域と同一の大きさで形成していることを特徴としている。
【００２８】
請求項１６記載の発明は、請求項７又は８記載のカラーホイール組立体に係り、少なくとも２枚以上の上記カラーホイールは、同一サイズの第１、第２及び第３のカラーホイールからなり、上記第１のカラーホイールは、赤の原色光のみを透過させる第１のカラーフィルタと、緑の原色光のみを透過させる第２のカラーフィルタと、青の原色光のみを透過させる第３のカラーフィルタと、上記第１のカラーフィルタ、上記第２のカラーフィルタ及び上記第３のカラーフィルタのいずれかの少なくとも２つのカラーフィルタ間の全ての原色光を透過させる透過領域とを形成しており、上記第２のカラーホイールは、上記第１のカラーホイールのいずれか１つの上記透過領域と隣り合わせたいずれかのカラーフィルタとの間の第１の上記基準境界と位置合わせされる上記第２のカラーホイールの上記基準境界の両側の各カラーフィルタを、それぞれ、該各カラーフィルタに対応する上記第１のカラーホイールの第１の上記基準境界と隣り合わせたいずれかの上記カラーフィルタ及び該カラーフィルタといずれか１つの上記透過領域を挟んで位置するいずれかの上記カラーフィルタと対応した同一のカラーフィルタで、かつ、上記第１のカラーホイールの第１の上記基準境界と隣り合わせているいずれか１つの上記透過領域と同一の大きさで形成すると共に、上記第３のカラーホイールは、上記第１のカラーホイールのいずれかもう１つの上記透過領域と隣り合わせたいずれかのカラーフィルタとの間の第２の上記基準境界と位置合わせされる上記第３のカラーホイールの上記基準境界の両側のカラーフィルタを、それぞれ、該各カラーフィルタに対応する上記第１のカラーホイールの第２の上記基準境界と隣り合わせたいずれかの上記カラーフィルタ及び該カラーフィルタといずれかもう１つの上記透過領域を挟んで位置するいずれかの上記カラーフィルタと対応した同一のカラーフィルタで、かつ、上記第１のカラーホイールの第２の上記基準境界と隣り合わせているいずれかもう１つの上記透過領域と同一の大きさで形成していることを特徴としている。
【００２９】
【発明の実施の形態】
以下、図面を参照して、この発明の実施の形態について説明する。説明は、実施例を用いて具体的に説明する。
◇第１実施例
図１は、この発明の第１実施例である時分割映像表示装置の構成図、図２は、同時分割映像表示装置に用いられる２枚のカラーホイールの装着状態を示す図、図３（ａ）は、同時分割映像表示装置の時分割色分離装置に用いられる２枚のカラーホイールのうちの一方のカラーホイールのカラーリングの構成を示す図、同図（ｂ）は、同時分割映像表示装置の時分割色分離装置に用いられる２枚のカラーホイールのうちの他方のカラーホイールのカラーリングの構成を示す図、図４（ａ）は、同時分割映像表示装置の時分割色分離装置で用いられる２枚のカラーホイールの基準点を一致させた場合のカラーフィルタ間の角度の関係を模式的に示す図、また、同図（ｂ）は、図４（ａ）に示す２枚のカラーホイールの基準点を一致させた場合に両カラーホイールで合成されるカラーリングを示す図である。
【００３０】
また、図５（ａ）は、同時分割映像表示装置の時分割色分離装置に用いられる２枚のカラーホイールの基準点を一定の角度Ｗｗｇ１だけずらせた場合のカラーフィルタ間の角度の関係を模式的に示す図、同図（ｂ）は、図５（ａ）に示す２枚のカラーホイールの基準点間に一定の角度Ｗｗｇ１゜だけずらせた場合に両カラーホイールで合成されるカラーリングを示す図、図６（ａ）は、同時分割映像表示装置の時分割色分離装置に用いられるカラーホイールのカラーリング内の赤色フィルタ及び緑色フィルタを広げ、かつ、白色フィルタ（透過領域）を狭める例において２枚のカラーホイールの基準点を一致させた場合のカラーフィルタ間の角度の関係を模式的に示す図、同図（ｂ）は、図６（ａ）に示す２枚のカラーホイールの基準点を一致させた場合に両カラーホイールで合成されるカラーリングを示す図である。
【００３１】
また、図７（ａ）は、同時分割映像表示装置の時分割色分離装置に用いられるカラーホイールのカラーリング内の赤色フィルタ及び緑色フィルタを広げ、かつ、白色フィルタを狭める例において２枚のカラーホイールの基準点を４０゜だけずらせた場合のカラーフィルタ間の角度の関係を模式的に示す図、同図（ｂ）は、図７（ａ）に示す２枚のカラーホイールの基準点を４０゜だけずらせた場合に両カラーホイールで合成されるカラーリングを示す図、図８（ａ）は、同時分割映像表示装置に用いられるカラーホイールのカラーリング内の白色フィルタ（透過領域）がある状態から白色フィルタを無くさせる例において一方のカラーホイールを示す図、同図（ｂ）は、同時分割映像表示装置に用いられるカラーホイールのカラーリングの白色フィルタがある状態から白色フィルタを無くさせる例において他方のカラーホイールを示す図である。
【００３２】
そして、図９（ａ）は、同時分割映像表示装置に用いられるカラーホイールのカラーリング内の白色フィルタがある状態から白色フィルタを無くさせる例において２枚のカラーホイールの各基準点を一致させた場合のカラーフィルタ間の角度の関係を模式的に示す図、同図（ｂ）は、図９（ａ）に示す２枚のカラーホイールの基準点を一致させた場合に両カラーホイールで合成されるカラーリングを示す図、図１０（ａ）は、同時分割映像表示装置に用いられるカラーホイールのカラーリング内の白色フィルタがある状態から白色フィルタを無くさせる例において２枚のカラーホイールの各基準点間を５２゜ずらせた場合のカラーフィルタ間の角度の関係を模式的に示す図、また、同図（ｂ）は、図１０（ａ）に示す２枚のカラーホイールの基準点間を５２゜ずらせた場合に両カラーホイールで合成されるカラーリングを示す図である。
なお、以下においては、図３（ａ）及びも図３（ｂ）は、それぞれ図３の（ａ）及び図３の（ｂ）ともいう。図４乃至図１０においても、また、同様である。
【００３３】
この実施例の時分割映像表示装置１０は、２枚のカラーホイール間に相対的な角度ずれを与えることにより両カラーホイールで合成される２種類のカラーリングのうちの１つを択一的に設定し得る装置に係り、図１に示すように、光源部１２と、カラーホイール１４を１個のモータ１６の回転軸に軸支して成り、光源部１２からの入射光を時分割で色分離を行って出射する時分割色分離装置１８と、時分割色分離装置１８から出射された光を導く導光路（ライトトンネル）２０と、導光路２０からの光を集光するコンデンスレンズ２２と、コンデンスレンズ２２からの光を反射するミラー２４と、時分割色分離装置１８で時分割で色分離され導光路２０、コンデンスレンズ２２及びミラー２４を経て入射される赤色光成分Ｒ、緑色光成分Ｇ、青色光成分Ｂ及び白色光Ｗの各々を色分離と同期して電気的に制御して光量を変化させる反射型表示デバイス２６と、反射型表示デバイス２６の制御を行う制御部２８と、反射型表示デバイス２６で反射された赤色光成分Ｒ、緑色光成分Ｇ、青色光成分Ｂ及び白色光Ｗの各々を投影スクリーン（図示せず）上へ投射する投射レンズ部３０とを有して構成されている。
【００３４】
時分割色分離装置１８は、そのカラーホイール１４を２枚のカラーホイール（以下、サブカラーホイール１４Ａ、１４Ｂという）から構成しており、サブカラーホイール１４Ａ、１４Ｂはモータ１６の回転軸上に回動機構１７（図１及び図２には図示せず）を介して軸支され、かつ、回動機構１７は制御部２８によって制御される。回動機構１７は、カラーホイール１４Ａ、１４Ｂを、相対的に回動し得るように軸支すると共に、色分離を時分割で行う回転速度でモータ１６によって回転され得るように構成されている。
回転速度は、例えば、映像信号の垂直同期信号と同期している回転速度である。
【００３５】
サブカラーホイール１４Ａ、１４Ｂは、図３の（ａ）及び（ｂ）に示すように、
複数種類のカラーフィルタ（以下、赤色フィルタ（赤の原色光のみを透過する第１のカラーフィルタ）、緑色フィルタ（緑の原色光のみを透過する第２のカラーフィルタ）及び青色フィルタ（青の原色光のみを透過する第３のカラーフィルタ）という）及び全ての原色光を透過する透過領域（白色フィルタという））を所定の順序で配置しているカラーリング１５ＣＲ、１７ＣＲを形成している。その各カラーリング１５ＣＲ、１７ＣＲ上の各カラーフィルタの配置順序は、赤色フィルタ、緑色フィルタ、白色フィルタ及び青色フィルタの順である。赤色フィルタ、緑色フィルタ、白色フィルタ及び青色フィルタの各々をカラーフィルタともいう。
カラーリング内の各カラーフィルタ（セグメント）は、カラーホイール１４Ａの回転中心から各カラーフィルタを挟む挟角の範囲とカラーリングの内外径とによって囲まれる領域として定められる。
【００３６】
サブカラーホイール１４Ａは、図３の（ａ）に示すように、そのカラーリング内に、その基準点１４ＲＡから反時計式方向に順次、挟角Ｗｒｂ１の白色フィルタ１５Ｗｒｂ１、挟角Ｒｒ１の赤色フィルタ１５Ｒｒ１、挟角Ｗｇｒ１の白色フィルタ１５Ｗｇｒ１、挟角Ｇｇ１の緑色フィルタ１５Ｇｇ１、挟角Ｗａｇ１の白色フィルタ１５Ｗａｇ１、挟角Ａａ１の白色フィルタ１５Ａａ１、挟角Ｗｂａ１の白色フィルタ１５Ｗｂａ１、挟角Ｂｂ１の青色フィルタ１５Ｂｂ１が配置されている。
基準点１４ＲＡは、青色フィルタ１５Ｂｂ１と白色フィルタ１５Ｗｒｂ１との基準境界である。サブカラーホイール１４Ａには、基準境界として、赤色フィルタ１５Ｒｒ１と白色フィルタ１５Ｗｇｒ１との境界、緑色フィルタ１５Ｇｇ１と白色フィルタ１５Ｗａｇ１、との境界及び白色フィルタ１５Ａａ１と白色フィルタ１５Ｗｂａ１との境界がる。
挟角Ｗａｇ１は、サブカラーホイール１４Ａとサブカラーホイール１４Ｂとの間の移動角度（変位角度）となる。
【００３７】
また、サブカラーホイール１４Ｂは、図３の（ｂ）に示すように、そのカラーリング内に、その基準点１４ＲＢから反時計式方向に順次、挟角Ｒｒｂ２の赤色フィルタ１７Ｒｒｂ２、挟角Ｒｒ２の赤色フィルタ１７Ｒｒ２、挟角Ｒｇｒ２の赤色フィルタ１７Ｒｇｒ２、挟角Ｗｇｒ２の白色フィルタ１７Ｗｇｒ２、挟角Ｇｇｒ２の緑色フィルタ１７Ｇｇｒ２、挟角Ｇｇ２の緑色フィルタ１７Ｇｇ２、挟角Ｇａｇ２の緑色フィルタ１７Ｇａｇ２、挟角Ｗａｇ２の白色フィルタ１７Ｗａｇ２、挟角Ａａｇ２の白色フィルタ１７Ａａｇ２、挟角Ａａ２の白色フィルタ１７Ａａ２、挟角Ａｂａ２の白色フィルタ１７Ａｂａ２、挟角Ｗｂａ２の白色フィルタ１７Ｗｂａ２（白色フィルタ１７Ａａｇ２は白色フィルタ１７Ａａ２、白色フィルタ１７Ａｂａ２及び白色フィルタ１７Ｗｂａ２の一部と重なっている）、挟角Ｂｂａ２の青色フィルタ１７Ｂｂａ２、挟角Ｂｂ２の青色フィルタ１７Ｂｂ２、挟角Ｂｒｂ２の青色フィルタ１７Ｂｒｂ２及び挟角Ｗｒｂ２の白色フィルタ１７Ｗｒｂ２が配置されている。但し、挟角Ｗａｇ２は０゜であり、白色フィルタ１７Ｗａｇ２、は配置されない。
【００３８】
白色フィルタ１７Ａａｇ２が白色フィルタ１７Ａａ２、白色フィルタ１７Ａｂａ２及び白色フィルタ１７Ｗｂａ２の一部と重なっているのは、青色フィルタ１７Ｂｒｂ２と赤色フィルタ１７Ｒｒｂ２との間に白色フィルタ１７Ｗｒｂ２を取り、赤色フィルタ１７Ｒｇｒ２と緑色フィルタ１７Ｇｇｒ２との間に白色フィルタ１７Ｗｇｒ２を取る等の手法と全く同じ手法を緑色フィルタ１７Ｇａｇ２と白色フィルタ１７Ａａｇ２との間に白色フィルタ１７Ｗａｇ２を取ると、全周の挟角の和が３６０゜を超えてしまうのを回避するためである。
すなわち、緑色フィルタ１７Ｇａｇ２と白色フィルタ１７Ａａｇ２との間の白色フィルタ１７Ｗａｇ２の挟角を０゜として白色フィルタ１７Ａａｇ２を取り、白色フィルタ１７Ａａｇ２の反時計式方向の終辺を白色フィルタ１７Ａａ２の反時計式方向の始辺と一致させて上記回避を図りつつ、上記手法を完結させたものである。
【００３９】
基準点１４ＲＢは、白色フィルタ１７Ｗｒｂ２と赤色フィルタ１７Ｒｒｂ２との基準境界である。サブカラーホイール１４ｂには、基準境界として、白色フィルタ１７Ｗｇｒ２と緑色フィルタ１７Ｇｇｒ２との境界、緑色フィルタ１７Ｇａｇ２と白色フィルタ１７Ａａｇ２との境界及び白色フィルタ１７Ｗｂａ２と青色フィルタ１７Ｂｂａ２との境界がある。
上記基準点１４ＲＡ及び上記基準点１４ＲＢは、例えば、一方が凸で、他方が凹の形状に形成されて基準点１４ＲＡと基準点１４ＲＢとの間の相対的な角度変位に用いる。
【００４０】
そして、サブカラーホイール１４Ａの基準点１４ＲＡとサブカラーホイール１４Ｂの基準点１４ＲＢとを一致させた場合にカラーホイール１４で合成されるカラーリング、すなわち、サブカラーホイール１４Ａのカラーリングとサブカラーホイール１４Ｂとのカラーリングとが重な合わされて形作られるカラーリング（以下、合成カラーリングという）１４Ｃ１（図４の（ｂ））の各カラーフィルタを挟む挟角とサブカラーホイール１４Ａの基準点１４ＲＡからサブカラーホイール１４Ｂの基準点１４ＲＢを反時計式方向にＷａｇ１゜だけずらせた場合にカラーホイール１４で得られる合成カラーリング１４Ｃ２（図５の（ｂ））の各カラーフィルタを挟む挟角との間に式（１３）を成立させるように上記基準点１４ＲＡと上記基準点１４ＲＢとを一致させた場合のカラーホイール１４の挟角Ｒ１、Ｇ１、Ｗ１及びＢ１と上記基準点１４ＲＡから上記基準点１４ＲＢを反時計式方向にＷａｇ１゜だけずらせた場合のカラーホイール１４の挟角Ｒ２、Ｇ２、Ｗ２及びＢ２とを所望の挟角に選定し、この選定された挟角を式（１４）に代入してサブカラーホイール１４Ａの各カラーフィルタの挟角を決定してサブカラーホイール１４Ａの各カラーフィルタがサブカラーホイール１４Ａに配置される。
【００４１】
【数１３】
2004245886.tif 000009
【００４２】
【数１４】
2004245886.tif 000010
但し、式（１４）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
【００４３】
但し、上式（１３）の挟角Ｒ１、Ｇ１、Ｗ１及びＢ１は、それぞれ、サブカラーホイール１４Ａの基準点１４ＲＡとサブカラーホイール１４Ｂの基準点１４ＲＢとを一致させた場合にカラーホイール１４で合成される合成カラーリング内の赤色フィルタ、緑色フィルタ、白色フィルタ及び青色フィルタをカラーホイール１４の回転中心から挟む挟角の各々である。また、上式（１３）の挟角Ｒ２、Ｇ２、Ｗ２及びＢ２は、それぞれ、サブカラーホイール１４Ｂの基準点１４ＲＢを、サブカラーホイール１４Ａの基準点１４ＲＡから挟角Ｗａｇ１゜だけずらせた場合にカラーホイール１４で得られる合成カラーリング内の赤色フィルタ、緑色フィルタ、白色フィルタ及び青色フィルタをカラーホイール１４の回転中心から挟む挟角の各々である。
【００４４】
上式（１４）に基づいて決定されたサブカラーホイール１４Ａの各カラーフィルタをサブカラーホイール１４Ａの回転中心から挟む挟角において、次式（１５）を成立させるように、サブカラーホイール１４Ｂの各カラーフィルタをサブカラーホイール１４Ｂの回転中心から挟む挟角を決定してサブカラーホイール１４Ｂの各カラーフィルタがサブカラーホイール１４Ｂに配置される。
【００４５】
【数１５】
2004245886.tif 000011
但し、式（１５）中の符号Ｗｒｂ１、Ｒｒ１、Ｗｇｒ１、Ｇｇ１、Ｗａｇ１、Ａａ１、Ｗｂａ１及びＢｂ１は、それぞれ、前記第１のカラーホイールの前記基準境界から円周方向に、前記符号対応に、順次形成された第１の白色フィルタ、赤色フィルタ、第２の白色フィルタ、緑色フィルタ、第３の白色フィルタの第１の領域、第３のフィルタの第２の領域、第３のフィルタの第３の領域及び青色フィルタの各々を前記第１のカラーホイールの回転中心から挟む挟角である。
また、式（１５）中の符号Ｒｒｂ２、Ｒｒ２、Ｒｇｒ２、Ｗｇｒ２、Ｇｇｒ２、Ｇｇ２、Ｇａｇ２、Ｗａｇ２、Ａａｇ２、Ａａ２、Ａｂａ２、Ｗｂａ２、Ｂｂａ２、Ｂｂ２、Ｂｒｂ２及びＷｒｂ２は、それぞれ、前記第２のカラーホイールの前記基準境界から円周方向に、順次、形成された赤色フィルタの第１の領域、赤色フィルタの第２の領域、赤色フィルタの第３の領域、第１の白色フィルタ、緑色フィルタの第１の領域、緑色フィルタの第２の領域、緑色フィルタの第３の領域、第２の白色フィルタの第１の領域、第２の白色フィルタの第２の領域、第２の白色フィルタの第３領域、第２の白色フィルタの第４の領域、第２の白色フィルタの第５の領域（第２の白色フィルタの第２の領域は、第２の白色フィルタの第３の領域、第２の白色フィルタの第４の領域及び第２の白色フィルタの第５の領域の一部と重なっている）、青色フィルタの第１の領域、青色フィルタの第２の領域、青色フィルタの第３の領域及び第３の白色フィルタの各々を前記第２のカラーホイールの回転中心から挟む挟角の各々である。なお、Ｗａｇ２＝０゜である。
【００４６】
次に、図１乃至図９を参照して、この実施例の動作について説明する。
時分割映像表示装置１０において、投射レンズ２０から投影スクリーン上に光を投射するのに先立って、サブカラーホイール１４Ａとサブカラーホイール１４Ｂとを相対的に回動させてサブカラーホイール１４Ａの基準点１４ＲＡとサブカラーホイール１４Ｂの基準点１４ＲＢとの間の相対的角度を所定の角度、すなわち、０゜又はＷａｇ１゜に設定する、すなわち、０゜又はＷａｇ１゜の相対的な角度変位をサブカラーホイール１４Ａとサブカラーホイール１４Ｂとの間に与える。
【００４７】
先ず、相対的角度を０゜に設定した例について説明する。
相対的角度を０゜に設定した状態を図４に示す。図４の（ａ）は、カラーホイール１４を構成するサブカラーホイール１４Ａ及び１４Ｂを模式的に示すもので、サブカラーホイール１４Ａのカラーリング１５ＣＲを外側のカラーリングで示し、サブカラーホイール１４Ｂのカラーリング１７ＣＲを内側のカラーリングで示してある。
相対的角度を０゜に設定してあるから、サブカラーホイール１４Ａの基準点１４ＲＡとサブカラーホイール１４Ｂの基準点１４ＲＢとは一致している。
【００４８】
したがって、図４の（ａ）から明らかなように、サブカラーホイール１４Ａの白色フィルタ１５Ｗｒｂ１とサブカラーホイール１４Ｂの赤色フィルタ１７Ｒｒｂ２とが重なり、かつ、サブカラーホイール１４Ａの赤色フィルタ１５Ｒｒ１とサブカラーホイール１４Ｂの赤色フィルタ１７Ｒｒ２、赤色フィルタ１７Ｒｇｒ２及び白色フィルタ１７Ｗｇｒ２とが重なるから、２枚のサブカラーホイール１４Ａ、１４Ｂから構成されるカラーホイール１４の合成カラーリング１４Ｃ１内の赤色フィルタは、図４の（ｂ）に示す挟角Ｒ１の赤色フィルタ１４Ｒ１のようになる。
【００４９】
また、サブカラーホイール１４Ａの白色フィルタ１５Ｗｇｒ１とサブカラーホイール１４Ｂの緑色フィルタ１７Ｇｇｒ２とが重なり、かつ、サブカラーホイール１４Ａの緑色フィルタ１５Ｇｇ１とサブカラーホイール１４Ｂの緑色フィルタ１７Ｇｇ２及び緑色フィルタ１７Ｇａｇ２とが重なるから、２枚のサブカラーホイール１４Ａ、１４Ｂから構成されるカラーホイール１４の合成カラーリング１４Ｃ１内の緑色フィルタは、図４の（ｂ）に示す挟角Ｇ１の緑色フィルタ１４Ｇ１のようになる。
【００５０】
また、サブカラーホイール１４Ａの白色フィルタ１５Ｗａｇ１及び白色フィルタ１５Ａａ１とサブカラーホイール１４Ｂの白色フィルタ１７Ａａ２、白色フィルタ１７Ａｂａ２及び白色フィルタ１７Ｗｂａ２とが重なるから、２枚のサブカラーホイール１４Ａ、１４Ｂから構成されるカラーホイール１４の合成カラーリング１４Ｃ１内の白色フィルタは、図４の（ｂ）に示す挟角Ａ１の白色フィルタ１４Ａ１のようになる。
【００５１】
また、サブカラーホイール１４Ａの白色フィルタ１５Ｗｂａ１とサブカラーホイール１４Ｂの青色フィルタ１７Ｂｂａ２とが重なり、かつ、サブカラーホイール１４Ａの青色フィルタ１５Ｂｂ１とサブカラーホイール１４Ｂの青色フィルタ１７Ｗｂ２、青色フィルタ１７Ｗｒｂ２及び白色フィルタ１７Ｗｒｂ２とが重なるから、これら２つのサブカラーホイール１４Ａ、１４Ｂから構成されるカラーホイール１４の合成カラーリング１４Ｃ１内の青色フィルタは、図４の（ｂ）に示す挟角Ｂ１の青色フィルタ１４Ｂ１のようになる。
【００５２】
次に、相対的角度をＷａｇ１゜に設定した例について説明する。
相対的角度をＷａｇ１゜に設定した状態を図５に示す。図５の（ａ）は、図４（ａ）と同様に、カラーホイール１４を構成するサブカラーホイール１４Ａ及び１４Ｂを模式的に示すもので、サブカラーホイール１４Ａを外側のサブカラーホイールで示し、サブカラーホイール１４Ｂを内側のサブカラーホイールで示してある。
相対的角度をＷａｇ１゜に設定してあるから、サブカラーホイール１４Ａの基準点１４ＲＡとサブカラーホイール１４Ｂの基準点１４ＲＢとの間の角度は、図５の（ａ）に示すように、Ｗａｇ１゜となっている。
【００５３】
したがって、サブカラーホイール１４Ａの赤色フィルタ１５Ｒｒ１内の白色フィルタ１５Ｗｒｂ１側の挟角Ｗｒｂ２゜分の領域とサブカラーホイール１４Ｂの白色フィルタ１７Ｗｒｂ２とが重なり、サブカラーホイール１４Ａの赤色フィルタ１５Ｒｒ１内の白色フィルタ１５Ｗｇｒ１の側の挟角（Ｒｒ１−Ｗｒｂ２）゜の領域とサブカラーホイール１４Ｂの赤色フィルタ１７Ｒｒｂ２及び赤色フィルタ１７Ｒｒ２とが重なり、かつ、サブカラーホイール１４Ａの白色フィルタ１５Ｗｇｒ１とサブカラーホイール１４Ｂの赤色フィルタ１７Ｒｇｒ２とが重なるから、これら２つのサブカラーホイール１４Ａ、１４Ｂから構成されるカラーホイール１４の合成カラーリング１４Ｃ２内の赤色フィルタは、図５の（ｂ）に示す挟角Ｒ２の赤色フィルタ１４Ｒ２のようになる。
【００５４】
また、サブカラーホイール１４Ａの緑色フィルタ１５Ｇｇ１とサブカラーホイール１４Ｂの白色フィルタ１７Ｗｇｒ２、緑色フィルタ１７Ｇｇｒ２及び緑色フィルタ１７Ｇｇ２とが重なり、かつ、サブカラーホイール１４Ａの白色フィルタ１５Ｗａｇ１とサブカラーホイール１４Ｂの緑色フィルタ１７Ｇａｇ２とが重なるから、これら２つのサブカラーホイール１４Ａ、１４Ｂから構成されるカラーホイール１４の合成カラーリング１４Ｃ２内の緑色フィルタは、図５の（ｂ）に示す挟角Ｇ２の緑色フィルタ１４Ｇ２のようになる。
【００５５】
また、サブカラーホイール１４Ａの白色フィルタ１５Ａａ１及び白色フィルタ１５Ｗｂａ１とサブカラーホイール１４Ｂの白色フィルタ１７Ａａ２及び白色フィルタ１７Ａｂａ２とが重なるから、これら２つのサブカラーホイール１４Ａ、１４Ｂから構成されるカラーホイール１４の合成カラーリング１４Ｃ２内の白色フィルタは、図５の（ｂ）に示す挟角Ａ２の白色フィルタ１４Ａ２のようになる。
【００５６】
また、サブカラーホイール１４Ａの青色フィルタ１５Ｂｂ１とサブカラーホイール１４Ｂの白色フィルタ１７Ｗｂａ２、青色フィルタ１７Ｂｂａ２及び青色フィルタ１７Ｂｂ２とが重なり、かつ、サブカラーホイール１４Ａの白色フィルタ１５Ｗｒｂ１とサブカラーホイール１４Ｂの青色フィルタ１７Ｂｒｂ２とが重なるから、これら２つのサブカラーホイール１４Ａ、１４Ｂから構成されるカラーホイール１４の合成カラーリング１４Ｃ２内の青色フィルタは、図５の（ｂ）に示す挟角Ｂ２の赤色フィルタ１４Ｂ２のようになる。
【００５７】
次に、２枚のサブカラーホイールから構成されるカラーホイールで得られる合成カラーリング内の赤色フィルタ、緑色フィルタ、白色フィルタ及び青色フィルタのうちの赤色フィルタ及び緑色フィルタを広め、白色フィルタを狭める具体例を図６及び図７を参照して説明する。
この具体例におけるカラーホイール２４は、第１のカラーホイール２４Ａ（以下、単にサブカラーホイール２４Ａという）及び第２のカラーホイール２４Ｂ（以下、単にサブカラーホイール２４Ｂという）から構成されている。
また、サブカラーホイール２４Ａ及びサブカラーホイール２４Ｂが、時分割色分離装置への装着の仕方は上述したところによる。
【００５８】
そのサブカラーホイール２４Ａには、白色フィルタ２５Ｗｒｂ１、赤色フィルタ２５Ｒｒ１、白色フィルタ２５Ｗｇｒ１、緑色フィルタ２５Ｇｇ１、白色フィルタ２５Ｗａｇ１、白色フィルタ２５Ａａ１、白色フィルタ２５Ｗｂａ１、及び青色フィルタ２５Ｂｂ１が配置されている。
また、サブカラーホイール２４Ｂには、赤色フィルタ２７Ｒｒｂ２、赤色フィルタ２７Ｒｒ２、赤色フィルタ２７Ｒｇｒ２、白色フィルタ２７Ｗｇｒ２、緑色フィルタ２７Ｇｇｒ２、緑色フィルタ２７Ｇｇ２、緑色フィルタ２７Ｇａｇ２、白色フィルタ２７Ａａ２、白色フィルタ２７Ａｂａ２、白色フィルタ２７Ｗｂａ２、青色フィルタ２７Ｂｂａ２、青色フィルタ２７Ｂｂ２、青色フィルタ２７Ｂｒｂ２並びに白色フィルタ２７Ｗｒｂ２が配置されている。白色フィルタ２７Ａａ２、白色フィルタ２７Ａｂａ２、白色フィルタ２７Ｗｂａ２、の一部と重なっている白色フィルタ２７Ｗａｇ２は省略してある。
【００５９】
そして、サブカラーホイール２４Ａの各カラーフィルタの挟角は次の通りである。
白色フィルタ２５Ｗｒｂ１の挟角Ｗｒｂ１は２０゜、赤色フィルタ２５Ｒｒ１の挟角Ｒｒ１は９０゜、白色フィルタ２５Ｗｇｒ１の挟角Ｗｇｒ１は２５゜、緑色フィルタ２５Ｇｇ１の挟角Ｇｇ１は８５゜、白色フィルタ２５Ｗａｇ１の挟角Ｗａｇ１は４０゜、白色フィルタ２５Ａａ１の挟角Ａａ１は２０゜、白色フィルタ２５Ｗｂａ１の挟角Ｗｂａ１は１０゜、そして青色フィルタ２５Ｂｂ１の挟角Ｂｂ１は７０゜である。
【００６０】
また、サブカラーホイール２４Ｂの各カラーフィルタの挟角は次の通りである。
赤色フィルタ２７Ｒｒｂ２の挟角Ｒｒｂ２は２０゜、赤色フィルタ２７Ｒｒ２の挟角Ｒｒ２は５０゜、赤色フィルタ２７Ｒｇｒ２の挟角Ｒｇｒ２は２５゜、白色フィルタ２７Ｗｇｒ２の挟角Ｗｇｒ２は１５゜、緑色フィルタ２７Ｇｇｒ２の挟角Ｇｇｒ２は２５゜、緑色フィルタ２７Ｇｇ２の挟角Ｇｇ２は４５゜、緑色フィルタ２７Ｇａｇ２の挟角Ｇａｇ２は４０゜、白色フィルタ２７Ａａ２の挟角Ａａ２は２０゜、白色フィルタ２７Ａｂａ２の挟角Ａｂａ２は１０゜、白色フィルタ２７Ｗｂａ２の挟角Ｗｂａ２は３０゜、青色フィルタ２７Ｂｂａ２の挟角Ｂｂａ２は１０゜、青色フィルタ２７Ｂｂ２の挟角Ｂｂ２は３０゜、青色フィルタ２７Ｂｒｂ２の挟角Ｂｒｂ２は２０゜、そして白色フィルタ２７Ｗｒｂ２の挟角Ｗｒｂ２は２０゜である。
【００６１】
上述したサブカラーホイール２４Ａの各カラーフィルタの挟角は次のようにして決定される。
上記式（１３）を満たすように予め与えられる図６及び図７の（ｂ）に図示の特定の挟角において、カラーホイール２４で合成される赤色フィルタ及び緑色フィルタを広め、白色フィルタを狭めるのに必要なサブカラーホイール２４Ａの各カラーフィルタの挟角を上記式（１４）から求めると、上述した各挟角の値となる。
【００６２】
すなわち、カラーホイール２４を構成するサブカラーホイール２４Ａ及びサブカラーホイール２４Ｂのそれぞれの基準点２４ＲＡと基準点２４ＲＢとを一致させたときにカラーホイール２４で得られる合成カラーリング２４Ｃ１（図６の（ｂ））内の赤色フィルタ２４Ｒ１の挟角Ｒ１として１１０゜を、緑色フィルタ２４Ｇ１の挟角Ｇ１として１１０゜を、白色フィルタ２４Ａ１の挟角Ａ１として６０゜を、青色フィルタ２４Ｂ１の挟角Ｂ１として８０゜を得るようにし、また、上記基準点２４ＲＢを上記基準点３４ＲＡから反時計式方向に４０゜ずらせたときにカラーホイール２４で得られる合成カラーリング２４Ｃ２（図７の（ｂ））内の赤色フィルタ２４Ｒ２の挟角Ｒ２として１１５゜を、緑色フィルタ２４Ｇ２の挟角Ｇ２として１２５゜を、白色フィルタ２４Ａ２の挟角Ａ２として３０゜を、青色フィルタ２４Ｂ２の挟角Ｂ２として９０゜を得るようにする場合に、既知の挟角Ｒ１、Ｇ１、Ａ１及びＢ１並びに既知の挟角Ｒ２、Ｇ２、Ａ２及びＢ２を式（１４）に代入して式（１４）の左辺の各未知数を求めた値が、上述したサブカラーホイール２４Ａの各カラーフィルタの挟角である。
【００６３】
上述したようにして求めたサブカラーホイール２４Ａの各カラーフィルタの挟角を式（１５）に代入して求めた値が、上述したサブカラーホイール２４Ｂの各カラーフィルタの挟角である。
【００６４】
次に、時分割色分離に用いられるこの具体例のカラーホイール２４において、カラーホイール２４で得られる合成カラーリングの赤色フィルタ及び緑色フィルタを広め、白色フィルタが狭めるカラーリングが形成されることについて説明する。
【００６５】
先ず、サブカラーホイール２４Ａの基準点２４ＲＡとサブカラーホイール２４Ｂの基準点２４ＲＢとを一致させた場合について説明する。
基準点２４ＲＡと基準点２５４ＲＢとを一致させる仕方は上述したところと同じである。
この場合におけるサブカラーホイール２４Ａ及びサブカラーホイール２４Ｂの対応する色フィルタの関係は、図６の（ａ）及び（ｂ）から明らかなように、以下に述べるようになる。
【００６６】
したがって、図６の（ａ）から明らかなように、サブカラーホイール２４Ａの白色フィルタ２５Ｗｒｂ１とサブカラーホイール２４Ｂの赤色フィルタ２７Ｒｒｂ２とが重なり、かつ、サブカラーホイール２４Ａの赤色フィルタ２５Ｒｒ１とサブカラーホイール２４Ｂの赤色フィルタ２７Ｒｒ２、赤色フィルタ２７Ｒｇｒ２及び白色フィルタ２７Ｗｇｒ２とが重なるから、２枚のサブカラーホイール２４Ａ、２４Ｂから構成されるカラーホイール２４の合成カラーリング２４Ｃ１内の赤色フィルタは、図６の（ｂ）に示す挟角Ｒ１＝１１０゜の赤色フィルタ２４Ｒ１のようになる。
【００６７】
また、サブカラーホイール２４Ａの白色フィルタ２５Ｗｇｒ１とサブカラーホイール２４Ｂの緑色フィルタ２７Ｇｇｒ２とが重なり、かつ、サブカラーホイール２４Ａの緑色フィルタ２５Ｇｇ１とサブカラーホイール２４Ｂの緑色フィルタ２７Ｇｇ２及び緑色フィルタ２７Ｇａｇ２とが重なるから、２枚のサブカラーホイール２４Ａ、２４Ｂから構成されるカラーホイール２４の合成カラーリング２４Ｃ１内の緑色フィルタは、図６の（ｂ）に示す挟角Ｇ１＝１１０゜の緑色フィルタ２４Ｇ１のようになる。
【００６８】
また、サブカラーホイール２４Ａの白色フィルタ２５Ｗａｇ１及び白色フィルタ２５Ａａ１とサブカラーホイール２４Ｂの白色フィルタ２７Ａａ２、白色フィルタ２７Ａｂａ２及び白色フィルタ２７Ｗｂａ２とが重なるから、２枚のサブカラーホイール２４Ａ、２４Ｂから構成されるカラーホイール２４の合成カラーリング２４Ｃ１内の白色フィルタは、図６の（ｂ）に示す挟角Ａ１＝６０゜の白色フィルタ２４Ａ１のようになる。
【００６９】
また、サブカラーホイール２４Ａの白色フィルタ２５Ｗｂａ１とサブカラーホイール２４Ｂの青色フィルタ２７Ｂｂａ２とが重なり、かつ、サブカラーホイール２４Ａの青色フィルタ２５Ｂｂ１とサブカラーホイール２４Ｂの青色フィルタ２７Ｗｂ２、青色フィルタ２７Ｗｒｂ２及び白色フィルタ２７Ｗｒｂ２とが重なるから、これら２つのサブカラーホイール２４Ａ、２４Ｂから構成されるカラーホイール２４の合成カラーリング２４Ｃ１内の青色フィルタは、図６の（ｂ）に示す挟角Ｂ１＝８０゜の青色フィルタ２４Ｂ１のようになる。
【００７０】
次に、相対的角度をＷａｇ１゜＝４０゜に設定した例について説明する。
相対的角度を４０゜に設定した状態を図７に示す。図７の（ａ）は、図５（ａ）と同様に、カラーホイール２４を構成するサブカラーホイール２４Ａ及び２４Ｂを模式的に示すもので、サブカラーホイール２４Ａを外側のサブカラーホイールで示し、サブカラーホイール２４Ｂを内側のサブカラーホイールで示してある。
相対的角度を４０゜に設定してあるから、サブカラーホイール２４Ａの基準点２４ＲＡとサブカラーホイール２４Ｂの基準点２４ＲＢとの間の角度は、図７の（ａ）に示すように、４０゜となっている。
【００７１】
したがって、サブカラーホイール２４Ａの赤色フィルタ２５Ｒｒ１内の白色フィルタ２５Ｗｒｂ１側の挟角２０゜分の領域とサブカラーホイール２４Ｂの白色フィルタ２７Ｗｒｂ２とが重なり、サブカラーホイール２４Ａの赤色フィルタ２５Ｒｒ１内の白色フィルタ２５Ｗｇｒ１側の挟角７０゜の領域とサブカラーホイール２４Ｂの赤色フィルタ２７Ｒｒｂ２及び赤色フィルタ２７Ｒｒ２とが重なり、かつ、サブカラーホイール２４Ａの白色フィルタ２５Ｗｇｒ１とサブカラーホイール２４Ｂの赤色フィルタ２７Ｒｇｒ２とが重なるから、これら２つのサブカラーホイール２４Ａ、２４Ｂから構成されるカラーホイール２４の合成カラーリング２４Ｃ２内の赤色フィルタは、図７の（ｂ）に示す挟角Ｒ２＝１１５゜の赤色フィルタ２４Ｒ２のようになる。
【００７２】
また、サブカラーホイール２４Ａの緑色フィルタ２５Ｇｇ１とサブカラーホイール２４Ｂの白色フィルタ２７Ｗｇｒ２、緑色フィルタ２７Ｇｇｒ２及び緑色フィルタ２７Ｇｇ２とが重なり、かつ、サブカラーホイール２４Ａの白色フィルタ２５Ｗａｇ１とサブカラーホイール２４Ｂの緑色フィルタ２７Ｇａｇ２とが重なるから、これら２つのサブカラーホイール２４Ａ、２４Ｂから構成されるカラーホイール２４の合成カラーリング２４Ｃ２内の緑色フィルタは、図７の（ｂ）に示す挟角Ｇ２＝１２５゜の緑色フィルタ２４Ｇ２のようになる。
【００７３】
また、サブカラーホイール２４Ａの白色フィルタ２５Ａａ１及び白色フィルタ２５Ｗｂａ１とサブカラーホイール２４Ｂの白色フィルタ２７Ａａ２及び白色フィルタ２７Ａｂａ２とが重なるから、これら２つのサブカラーホイール２４Ａ、２４Ｂから構成されるカラーホイール２４の合成カラーリング２４Ｃ２内の白色フィルタは、図７の（ｂ）に示す挟角Ａ２＝３０゜の白色フィルタ２４Ａ２のようになる。
【００７４】
また、サブカラーホイール２４Ａの青色フィルタ２５Ｂｂ１とサブカラーホイール２４Ｂの白色フィルタ２７Ｗｂａ２、青色フィルタ２７Ｂｂａ２及び青色フィルタ２７Ｂｂ２とが重なり、かつ、サブカラーホイール２４Ａの白色フィルタ２５Ｗｒｂ１とサブカラーホイール２４Ｂの青色フィルタ２７Ｂｒｂ２とが重なるから、これら２つのサブカラーホイール２４Ａ、２４Ｂから構成されるカラーホイール２４の合成カラーリング２４Ｃ２内の青色フィルタは、図７の（ｂ）に示す挟角Ｂ２＝９０゜の赤色フィルタ２４Ｂ２のようになる。
【００７５】
次に、２枚のサブカラーホイールから構成されるカラーホイールで得られる合成カラーリング内に赤色フィルタ、緑色フィルタ、白色フィルタ及び青色フィルタと赤色フィルタ、緑色フィルタ及び青色フィルタとの２種類の合成カラーリングを択一的に設定させ得る具体例を図８乃至図１０を参照して説明する。
この具体例におけるカラーホイール３４は、第１のカラーホイール３４Ａ（以下、単にサブカラーホイール３４Ａという）及び第２のカラーホイール３４Ｂ（以下、単にサブカラーホイール３４Ｂという）から構成されている。
また、サブカラーホイール３４Ａ及びサブカラーホイール３４Ｂが、時分割色分離装置への装着の仕方は上述したところによる。
【００７６】
そのサブカラーホイール３４Ａには、図８の（ａ）に示すように、白色フィルタ３５Ｗｒｂ１、赤色フィルタ３５Ｒｒ１、白色フィルタ３５Ｗｇｒ１、緑色フィルタ３５Ｇｇ１、白色フィルタ３５Ｗａｇ１及び青色フィルタ３５Ｂｂ１が形成されている。白色フィルタ３５Ａａ１及び白色フィルタ３５Ｗｂａ１は、後述するように，それぞれの挟角は０゜となるから挟角Ａａ１及びＷｂａ１＝０と表して各カラーフィルタは図示してない。
【００７７】
また、サブカラーホイール３４Ｂには、図８の（ｂ）に示すように、赤色フィルタ３７Ｒｒｂ２、赤色フィルタ３７Ｒｒ２、赤色フィルタ３７Ｒｇｒ２、白色フィルタ３７Ｗｇｒ２、緑色フィルタ３７Ｇｇｒ２、緑色フィルタ３７Ｇｇ２、緑色フィルタ３７Ｇａｇ２、白色フィルタ３７Ａａｇ２（白色フィルタ３７Ａａｇ２は白色フィルタ３７Ｗｂａ２と重なる）、青色フィルタ３７Ｂｂ２、青色フィルタ３７Ｂｒｂ２並びに白色フィルタ３７Ｗｒｂ２が形成されている。なお、白色フィルタ３７Ｗａｇ２、白色フィルタ３７Ａａ２、白色フィルタ３７Ａｂａ２及び青色フィルタ３７Ｂｂａ２は、後述するように、それぞれの挟角が０゜となるから挟角Ｗａｇ２、Ａａ２、Ａｂａ２及びＢｂａ２＝０と表して各カラーフィルタは図示してない。
【００７８】
上述のサブカラーホイール３４Ａの各カラーフィルタの挟角は、図８の（ａ）に示すように、次の通りである。
白色フィルタ３５Ｗｒｂ１の挟角Ｗｒｂ１は１５゜、赤色フィルタ３５Ｒｒ１の挟角Ｒｒ１は９５゜、白色フィルタ３５Ｗｇｒ１の挟角Ｗｇｒ１は３３゜、緑色フィルタ３５Ｇｇ１の挟角Ｇｇ１は７６゜、白色フィルタ３５Ｗａｇ１の挟角Ｗａｇ１は５２゜、青色フィルタ３５Ｂｂ１の挟角Ｂｂ１は８９゜である。
【００７９】
また、サブカラーホイール３４Ｂの各カラーフィルタの挟角は、図８の（ｂ）に示すように、次の通りである。
赤色フィルタ３７Ｒｒｂ２の挟角Ｒｒｂ２は１５゜、赤色フィルタ３７Ｒｒ２の挟角Ｒｒ２は４３゜、赤色フィルタ３７Ｒｇｒ２の挟角Ｒｇｒ２は３３゜、白色フィルタ３７Ｗｇｒ２の挟角Ｗｇｒ２は１９゜、緑色フィルタ３７Ｇｇｒ２の挟角Ｇｇｒ２は３３゜、緑色フィルタ３７Ｇｇ２の挟角Ｇｇ２は２４゜、緑色フィルタ３７Ｇａｇ２の挟角Ｇａｇ２は５２゜、白色フィルタ３７Ｗｂａ２の挟角Ｗｂａ２は５２゜（白色フィルタ３７Ａａｇ２の挟角Ａａｇ２は５２゜で白色フィルタ３７Ｗｂａ２と重なっている）、青色フィルタ３７Ｂｂ２の挟角Ｂｂ２は３７゜、青色フィルタ３７Ｂｒｂ２の挟角Ｂｒｂ２は１５゜、そして白色フィルタ３７Ｗｒｂ２の挟角Ｗｒｂ２は３７゜である。
【００８０】
上述したサブカラーホイール３４Ａの各カラーフィルタの挟角は次のようにして決定される。
条件式（１３）を満たすように予め与えられる図９及び図１０の（ｂ）に図示の特定の挟角において、カラーホイール３４で得られる赤色フィルタ、緑色フィルタ及び青色フィルタを広め、白色フィルタを無くすのに必要なサブカラーホイール３４Ａの各カラーフィルタの挟角を求めると、上述した各挟角の値となる。
【００８１】
すなわち、カラーホイール３４を構成するサブカラーホイール３４Ａ及びサブカラーホイール３４Ｂのそれぞれの基準点３４ＲＡと基準点３４ＲＢとを一致させたときにカラーホイール３４で得られたる合成カラーリング３４Ｃ１（図９の（ｂ））内の赤色フィルタ３４Ｒ１の挟角Ｒ１を１１０゜とし、緑色フィルタ３４Ｇ１の挟角Ｇ１を１０９゜とし、白色フィルタ３４Ａ１の挟角Ａ１を５２゜とし、青色フィルタ３４Ｂ１の挟角Ｂ１を８９゜とする一方、上記基準点３４ＲＢを上記基準点３４ＲＡから反時計式方向に５２゜ずらせたときにカラーホイール３４で得られる合成カラーリング３４Ｃ２（図１０の（ｂ））内の赤色フィルタ３４Ｒ２の挟角Ｒ２を１２８゜とし、緑色フィルタ３４Ｇ２の挟角Ｇ２を１２８゜とし、青色フィルタ３４Ｂ２の挟角Ｂ２を１０４゜として白色フィルタ３４Ａ２の挟角Ａ２を０゜にしたい場合に、これら既知の挟角Ｒ１、Ｇ１、Ａ１及びＢ１並びに既知の挟角Ｒ２、Ｇ２、Ａ２及びＢ２を式（１４）に代入して式（１４）の左辺の各未知数を求めた値が、上述したサブカラーホイール３４Ａの各カラーフィルタの挟角である。
【００８２】
上述したようにして求めたサブカラーホイール３４Ａの各カラーフィルタの挟角を式（１５）に代入して求めた値が、上述したサブカラーホイール３４Ｂの各カラーフィルタの挟角である。
【００８３】
次に、時分割色分離に用いられるこの具体例のカラーホイール３４において、白色フィルタがある合成カラーリング３４Ｃ１と白色フィルタがない合成カラーリング３４Ｃ２との２種類の合成カラーリングが択一的に得られることについて説明する。
【００８４】
先ず、相対的角度をＷａｇ１゜＝０゜に設定した例について説明する。
相対的角度を０゜に設定した状態を図９に示す。図９の（ａ）は、カラーホイール３４を構成するサブカラーホイール３４Ａ及び３４Ｂを模式的に示すもので、サブカラーホイール３４Ａのカラーリング３５ＣＲを外側のサブカラーホイールで示し、サブカラーホイール３４Ｂのカラーリング３７ＣＲを内側のサブカラーホイールで示してある。
相対的角度を０゜に設定してあるから、サブカラーホイール３４Ａの基準点３４ＲＡとサブカラーホイール３４Ｂの基準点３４ＲＢとの間の角度は、図９の（ａ）に示すように、０゜となっている。
【００８５】
図９の（ａ）から明らかなように、サブカラーホイール３４Ａの白色フィルタ３５Ｗｒｂ１とサブカラーホイール３４Ｂの赤色フィルタ３７Ｒｒｂ２とが重なり、かつ、サブカラーホイール３４Ａの赤色フィルタ３５Ｒｒ１とサブカラーホイール３４Ｂの赤色フィルタ３７Ｒｒ２、赤色フィルタ３７Ｒｇｒ２及び白色フィルタ３７Ｗｇｒ２とが重なるから、２枚のサブカラーホイール３４Ａ、３４Ｂから構成されるカラーホイール３４の合成カラーリング３４Ｃ１内の赤色フィルタは、図９の（ｂ）に示す挟角Ｒ１＝１１０゜の赤色フィルタ３４Ｒ１のようになる。
【００８６】
また、サブカラーホイール３４Ａの白色フィルタ３５Ｗｇｒ１とサブカラーホイール３４Ｂの緑色フィルタ３７Ｇｇｒ２とが重なり、かつ、サブカラーホイール３４Ａの緑色フィルタ３５Ｇｇ１とサブカラーホイール３４Ｂの緑色フィルタ３７Ｇｇ２及び緑色フィルタ３７Ｇａｇ２とが重なるから、２枚のサブカラーホイール３４Ａ、３４Ｂから構成されるカラーホイール３４の合成カラーリング３４Ｃ１内の緑色フィルタは、図９の（ｂ）に示す挟角Ｇ１＝１０９゜の緑色フィルタ３４Ｇ１のようになる。
【００８７】
また、サブカラーホイール３４Ａの白色フィルタ３５Ｗａｇ１とサブカラーホイール３４Ｂの白色フィルタ３７Ｗｂａ２とが重なるから、２枚のサブカラーホイール３４Ａ、３４Ｂから構成されるカラーホイール３４の合成カラーリング３４Ｃ１内の白色フィルタは、図９の（ｂ）に示す挟角Ａ１＝５２゜の白色フィルタ３４Ａ１のようになる。
【００８８】
また、サブカラーホイール３４Ａの青色フィルタ３５Ｂｂ１とサブカラーホイール３４Ｂの青色フィルタ３７Ｂｂ２、青色フィルタ３７Ｂｒｂ２及び白色フィルタ３７Ｗｒｂ２とが重なるから、２枚のサブカラーホイール３４Ａ、３４Ｂから構成されるカラーホイール３４の合成カラーリング３４Ｃ１内の青色フィルタは、図９の（ｂ）に示す挟角Ｂ１＝８９゜の青色フィルタ３４Ｂ１のようになる。
【００８９】
次に、相対的角度をＷａｇ１゜＝５２゜に設定した例について説明する。
相対的角度を５２゜に設定した状態を図１０に示す。図１０の（ａ）は、図９（ａ）と同様に、カラーホイール３４を構成するサブカラーホイール３４Ａ及び３４Ｂを模式的に示すもので、サブカラーホイール３４Ａを外側のサブカラーホイールで示し、サブカラーホイール３４Ｂを内側のサブカラーホイールで示してある。
相対的角度を５２゜に設定してあるから、サブカラーホイール３４Ａの基準点３４ＲＡとサブカラーホイール３４Ｂの基準点３４ＲＢとの間の角度は、図１０の（ａ）に示すように、５２゜となっている。
【００９０】
したがって、サブカラーホイール３４Ａの赤色フィルタ３５Ｒｒ１とサブカラーホイール３４Ｂの白色フィルタ３７Ｗｒｂ２、赤色フィルタ３７Ｒｒｂ２及び赤色フィルタ３７Ｒｒ２とが重なり、かつ、サブカラーホイール３４Ａの白色フィルタ３５Ｗｇｒ１とサブカラーホイール３４Ｂの赤色フィルタ３７Ｒｇｒ２とが重なるから、これら２つのサブカラーホイール３４Ａ、３４Ｂから構成されるカラーホイール３４の合成カラーリング３４Ｃ２内の赤色フィルタは、図１０の（ｂ）に示す挟角Ｒ２＝１２８゜の赤色フィルタ３４Ｒ２のようになる。
【００９１】
また、サブカラーホイール３４Ａの緑色フィルタ３５Ｇｇ１とサブカラーホイール３４Ｂの白色フィルタ３７Ｗｇｒ２、緑色フィルタ３７Ｇｇｒ２及び緑色フィルタ３７Ｇｇ２とが重なり、かつ、サブカラーホイール３４Ａの白色フィルタ３５Ｗａｇ１とサブカラーホイール３４Ｂの緑色フィルタ３７Ｇａｇ２とが重なるから、これら２つのサブカラーホイール３４Ａ、３４Ｂから構成されるカラーホイール３４の合成カラーリング３４Ｃ２内の緑色フィルタは、図１０の（ｂ）に示す挟角Ｇ２＝１２８゜の緑色フィルタ３４Ｇ２のようになる。
【００９２】
また、サブカラーホイール３４Ａの青色フィルタ３５Ｂｂ１とサブカラーホイール３４Ｂの白色フィルタ３７Ｗｂａ２及び青色フィルタ３７Ｂｂ２とが重なり、かつ、サブカラーホイール３４Ａの白色フィルタ３５Ｗｒｂ１とサブカラーホイール３４Ｂの青色フィルタ３７Ｂｒｂ２とが重なるから、これら２つのサブカラーホイール３４Ａ、３４Ｂから構成されるカラーホイール３４の合成カラーリング３４Ｃ２内の青色フィルタは、図１０の（ｂ）に示す挟角Ｂ２＝１０４゜の青色フィルタ３４Ｂ２のようになる。
【００９３】
この実施例のいずれの例においても、時分割色分離装置１８から出射された光は、【従来の技術】の項で説明したと同様にして、導光路（ライトトンネル）２０及びコンデンスレンズ２２を経てミラー２４に入射され、ミラー２４で反射される。ミラー２４で反射された赤色光成分Ｒ、緑色光成分Ｇ、青色光成分Ｂ及び白色光Ｗ又は赤色光成分Ｒ、緑色光成分Ｇ及び青色光成分Ｂの各々は、反射型表示デバイス２６に入射され、そこで制御部２８の制御の下に上記色分離と同期して電気的に制御されて光量が変化させられる。反射型表示デバイス２６から出射された赤色光成分Ｒ、緑色光成分Ｇ、青色光成分Ｂ及び白色光Ｗ又は赤色光成分Ｒ、緑色光成分Ｇ及び青色光成分Ｂの各々は、投射レンズ部３０を介して投影スクリーン（図示せず）上へ投射されて映像の表示に用いられる。
【００９４】
このように、この実施例の構成によれば、２枚のサブカラーホイールの各々の基準点（基準境界）の間に所定の相対的な角度変位を与えることにより、２枚のサブカラーホイールから構成されるカラーホイールで得られる合成カラーリング内の赤色フィルタ、緑色フィルタ、白色フィルタ及び青色フィルタのうちの所定の色フィルタの広狭を生ぜしめ、また、２枚のサブカラーホイールから構成されるカラーホイールに形成される合成カラーリン内に赤色フィルタ、緑色フィルタ、白色フィルタ及び青色フィルタと赤色フィルタ、緑色フィルタ及び青色フィルタとの２種類の合成カラーリングのうちの１つを択一的に設定させる動作をカラーホイールの交換なしにカラーホイールに生じさせることができる。
このカラーホイールの合成カラーリングの択一的な変更に伴って時分割で行われる色分離のタイミングに反射型表示デバイスの表示タイミングを同期させて表示させるようにすれば、明るさ、色バランス等の光学的特性の所望の特性への設定を容易に達成することが可能になる。
【００９５】
◇第２実施例
図１１は、この発明の第２実施例である時分割映像表示装置の時分割色分離装置に用いられる２枚のカラーホイールを示す図、図１２（ａ）は、同時分割映像表示装置の時分割色分離装置に用いられるカラーホイールの合成カラーリングのうちの任意の２つのフィルタの一方を広げ、他方を狭める場合において２枚のカラーホイールの基準点を一致させたときの色フィルタ間の角度の関係を模式的に示す図、また、同図（ｂ）は、図１２（ａ）に示す２枚のカラーホイールの基準点を一致させたときのカラーホイールで得られる合成カラーリングを示す図である。
【００９６】
図１３（ａ）は、同時分割映像表示装置の時分割色分離装置に用いられるカラーホイールの合成カラーリングのうちの任意の２つのカラーフィルタの上記一方を狭め、上記他方を広げる場合において２枚のカラーホイールの基準点を４０゜だけずらせたときのカラーフィルタ間の角度の関係を模式的に示す図、また、同図（ｂ）は、図１３（ａ）に示す２枚のカラーホイールの基準点を４０゜だけずらせたときのカラーホイールで得られる合成カラーリングを示す図である。
なお、以下においては、図１２（ａ）及びも図１２（ｂ）は、それぞれ図１２の（ａ）及び図１２の（ｂ）ともいう。図１３においても、また、同様である。
【００９７】
この実施例の構成が、第１実施例のそれと大きく異なるところは、赤色フィルタ、緑色フィルタ、白色フィルタ及び青色フィルタのうちの予め決められた２つのカラーフィルタを拡狭し得るようにした点である。
すなわち、この実施例の時分割映像表示装置１０Ａ（図１には図示せず）に用いられるカラーホイール４４も、２枚のカラーホイール（以下、サブカラーホイール４４Ａ、４４Ｂという）から構成される。
サブカラーホイール４４Ａは、図１１の（ａ）に示すように、基準点４４ＲＡから反時計式方向に白色フィルタ４５Ｗｒｂ、赤色フィルタ４５Ｒｒ、緑色フィルタ４５Ｇｇ、白色フィルタ４５Ｗｂｇ及び青色フィルタ４５Ｂｂが１つのカラーリング内に順次配置されている。
白色フィルタ４５Ｗｒｂの挟角Ｗｒｂは４０゜であり、赤色フィルタ４５Ｒｒの挟角Ｒｒは９０゜であり、緑色フィルタ４５Ｇｇの挟角Ｇｇは９０゜であり、白色フィルタ４５Ｗｂｇの挟角Ｗｂｇは５０゜であり、青色フィルタ４５Ｂｂの挟角Ｂｂは９０゜である。
【００９８】
サブカラーホイール４４Ｂは、図１１の（ｂ）に示すように、基準点４４ＲＢから反時計式方向に赤色フィルタ４７Ｒｒｂ、白色フィルタ４７Ａａ１及び青色フィルタ４７Ｂｒｂが１つのカラーリング内に順次配置されている。
赤色フィルタ４７Ｒｒｂの挟角Ｒｒｂは４０゜であり、白色フィルタ４７Ａａ１の挟角Ａａ１は２８０゜であり、青色フィルタ４７Ｂｒｂの挟角Ｂｒｂは４０゜である。
この構成を除く実施例の各部の構成は、第１実施例と同一構成であるので、それらの各部には図１及び図２と同一の参照番号を付してその逐一の説明を省略する。
【００９９】
次に、図１、図２及び図１１乃至図１３を参照して、この実施例の動作について説明する。
時分割映像表示装置１０Ａにおいて、投射レンズ部３０かから投影スクリーン上に光を投射するのに先立って、サブカラーホイール４４Ａとサブカラーホイール４４Ｂとを相対的に回動させてサブカラーホイール４４Ａの基準点４４ＲＡとサブカラーホイール４４Ｂの基準点４４ＲＢとの間の相対的角度を所定の角度、すなわち、０゜又は４０゜に設定する。
【０１００】
先ず、その相対的角度を０゜に設定した場合にカラーホイール４４の合成カラーリング４４Ｃ１内の各カラーフィルタがどのようになるかを説明する。
相対的角度を０゜に設定した状態を図１２に示す。図１２の（ａ）は、サブカラーホイール４４Ａとサブカラーホイール４４Ｂとを同心円上に模式的に示している。サブカラーホイール４４Ａのカラーリング４５ＣＲは、外側のカラーリングで示し、サブカラーホイール４４Ｂのカラーリング４７ＣＲは、内側のカラーリングで示してある。
相対的角度を０゜に設定してあるから、サブカラーホイール４４Ａの基準点４４ＲＡとサブカラーホイール４４Ｂの基準点４４ＲＢとは、図１２の（ａ）に示すように、一致している。
【０１０１】
したがって、サブカラーホイール４４Ａの白色フィルタ４５Ｗｒｂとサブカラーホイール４４Ｂの赤色フィルタ４７Ｒｒｂとが重なり、かつ、サブカラーホイール４４Ａの青色フィルタ４５Ｂｂの白色フィルタ４５Ｗｒｂ側の４０゜分の領域とサブカラーホイール４４Ｂの青色フィルタ４７Ｂｒｂとが重なる。
また、サブカラーホイール４４Ａの赤色フィルタ４５Ｒｒ、緑色フィルタ４５Ｇｇ、白色フィルタ４５Ｗｂｇ及び青色フィルタ４５Ｂｂの白色フィルタ４５Ｗｂｇ側の挟角５０゜分の領域は、サブカラーホイール４４Ｂの白色フィルタ４７Ａａ１と重なっている。
【０１０２】
したがって、２枚のサブカラーホイール４４Ａ、４４Ｂから構成されるカラーホイール４４の合成カラーリング４４Ｃ１内の赤色フィルタは、図１２の（ｂ）に示す挟角Ｒ１＝１３０°の赤色フィルタ４４Ｒ１のようになり、カラーホイール４４の合成カラーリング４４Ｃ１内の緑色フィルタは、図１２の（ｂ）に示す挟角が９０゜の緑色フィルタ４４Ｇ１のようになる。
また、カラーホイール４４の合成カラーリング４４Ｃ１内の白色フィルタは、図１２の（ｂ）に示す挟角が５０゜の白色フィルタ４４Ａ１のようになり、カラーホイール４４の合成カラーリング４４Ｃ１内の青色フィルタは、図１２の（ｂ）に示す挟角９０゜の青色フィルタ４４Ｂ１のようになる。
【０１０３】
次に、上述の相対的角度を４０゜と設定した場合に、この実施例のカラーホイール４４のカラーリング４４Ｃ２内の赤色フィルタ４４Ｒ２が相対的角度を０゜に設定した場合に比し狭くなり、かつ、青色フィルタ４４Ｂ２が広くなることを図１３を参照して説明する。
図１３の（ａ）は、図１２の（ａ）と同様に、サブカラーホイール４４Ａとサブカラーホイール４４Ｂとを同心円上に模式的に示している。また、サブカラーホイール４４Ａのカラーリング４５ＣＲが外側のカラーリングであり、サブカラーホイール４４Ｂのカラーリング４７ＣＲかが内側のカラーリングである。
相対的角度を４０゜に設定してあるから、サブカラーホイール４４Ａの基準点４４ＲＡとサブカラーホイール４４Ｂの基準点４４ＲＢとの間の角度は、図１３の（ａ）に示すように、４０゜となっている。
【０１０４】
したがって、サブカラーホイール４４Ａの赤色フィルタ４５Ｒｒ内の白色フィルタ４５Ｗｒｂ側の挟角４０゜分の領域とサブカラーホイール４４Ｂの赤色フィルタ４７Ｒｒｂとが重なり、かつ、サブカラーホイール４４Ａの白色フィルタ４５Ｗｒｂとサブカラーホイール４４Ｂの青色フィルタ４７Ｂｒｂとが重なる。
また、サブカラーホイール４４Ａの赤色フィルタ４５Ｒｒ内の緑色フィルタ４５Ｇｇ側の挟角５０゜分の領域、緑色フィルタ４５Ｇｇ、白色フィルタ４５Ｗｂｇ及び青色フィルタ４５Ｂｂはサブカラーホイール４４Ｂの白色フィルタ４７Ａａ１とが重なる。
【０１０５】
それ故、２枚のサブカラーホイール４４Ａ、４４Ｂから構成されるカラーホイール４４の合成カラーリング４４Ｃ２内の赤色フィルタは、図１３の（ｂ）に示す挟角が９０゜の赤色フィルタ４４Ｒ２のようになり、カラーホイール４４の合成カラーリング４４Ｃ２内の緑色フィルタは、図１３の（ｂ）に示す挟角９０゜の緑色フィルタ４４Ｇ２のようになる。
また、カラーホイール４４の合成カラーリング４４Ｃ２内の白色フィルタは、図１２の（ｂ）に示す挟角が５０゜の白色フィルタＡ２のようになり、カラーホイール４４の合成カラーリング４４Ｃ２内の青色フィルタは、図１２の（ｂ）に示す挟角１３０゜の青色フィルタ４４Ｂ２のようになる。
【０１０６】
この実施例においても、時分割色分離装置１８から出射された光は、【従来の技術】の項で説明したと同様にして、導光路（ライトトンネル）２０及びコンデンスレンズ２２を経てミラー２４に入射され、ミラー２４で反射される。ミラー２４で反射された赤色光成分Ｒ、緑色光成分Ｇ、青色光成分Ｂ及び白色光Ｗの各々は、反射型表示デバイス２６に入射され、そこで制御部２８の制御の下に上記色分離と同期して電気的に制御されて光量が変化させられる。反射型表示デバイス２６から出射された赤色光成分Ｒ、緑色光成分Ｇ、青色光成分Ｂ及び白色光Ｗの各々は、投射レンズ部３０を介して投影スクリーン（図示せず）上へ投射されて映像の表示に用いられる。
【０１０７】
このように、この実施例の構成によれば、サブカラーホイール４４Ａの白色フィルタ４５Ｗｒｂ、赤色フィルタ４５Ｒｒ、緑色フィルタ４５Ｇｇ、白色フィルタ４５Ｗｂｇ及び青色フィルタ４５Ｂｂの各々の挟角を、それぞれ、サブカラーホイール４４Ａの基準点４４ＲＡから順次反時計式方向に４０゜、９０゜、９０゜、５０゜及び９０゜に設定してカラーリング４５ＣＲを形成し、かつ、カラーホイール１４Ｂの赤色フィルタ４７Ｒｒｂ、白色フィルタ４７Ａａ１及び青色フィルタ４７Ｂｂの各々の挟角を、それぞれ、サブカラーホイール４４Ｂの基準点４４ＲＢから順次反時計式方向に４０゜、２８０゜及び４０゜に設定してカラーホイール４４Ａのカラーリング４５ＣＲと同一の内外径を有する１つのカラーリング４７ＣＲに形成し、サブカラーホイール４４Ａの基準点４４ＲＡとサブカラーホイール４４Ｂの基準点４４ＲＢとのずれを０゜とするか又は４０゜とすることによって、挟角が１３０゜の赤色フィルタ４４Ｒ１、挟角が９０゜の緑色フィルタ４４Ｇ１、挟角が５０゜の白色フィルタ４４Ａ１及び挟角が９０゜の青色フィルタ４４Ｂ１から成る１つの合成カラーリング、又は挟角が９０゜の赤色フィルタ４４Ｒ２、挟角が９０゜の緑色フィルタ４４Ｇ２、挟角が５０゜の白色フィルタ４４Ａ２及び挟角が１３０゜の青色フィルタ４４Ｂ２から成るもう１つの合成カラーリングをカラーホイールの交換なしにカラーホイール４４に択一的に設定することができる。
このカラーホイールの合成カラーリングの択一的な変更に伴って時分割で行われる色分離のタイミングに反射型表示デバイスの表示タイミングを同期させて表示させるようにすれば、ホワイトバランスの所望の特性への設定を容易に達成することが可能になる。
【０１０８】
◇第３実施例
図１４は、この発明の第３実施例である時分割映像表示装置の時分割色分離装置に用いられる３枚のカラーホイールを示す図、図１５（ａ）は、同時分割映像表示装置の時分割色分離装置に用いられるカラーホイールの合成カラーリング内に生じさせ得る４種類のカラーフィルタの状態のうちの第１の状態を生じさせる場合において３枚のカラーホイールの基準点の合わせ方を第１の合わせ方としたときのカラーフィルタ間の角度の関係を模式的に示す図、また、同図（ｂ）は、図１５（ａ）に示す第１の合わせ方としたときの３枚のカラーホイールで得られる合成カラーリングを示す図である。
【０１０９】
図１６（ａ）は、同時分割映像表示装置の時分割色分離装置に用いられるカラーホイールの合成カラーリング内に生じさせ得る４種類のカラーフィルタの状態のうちの第２の状態を生じさせる場合において３枚のカラーホイールの基準点の合わせ方を第２の合わせ方としたときのカラーフィルタ間の角度の関係を模式的に示す図、また、同図（ｂ）は、図１６（ａ）に示す第２の合わせ方としたときのカラーホイールで得られる合成カラーリングを示す図である。
【０１１０】
図１７（ａ）は、同時分割映像表示装置の時分割色分離装置に用いられるカラーホイールの合成カラーリング内に生じさせ得る４種類のカラーフィルタの状態のうちの第３の状態を生じさせる場合において３枚のカラーホイールの基準点の合わせ方を第３の合わせ方としたときのカラーフィルタ間の角度の関係を模式的に示す図、また、同図（ｂ）は、図１７（ａ）に示す第３の合わせ方としたときのカラーホイールで得られる合成カラーリングを示す図である。
【０１１１】
図１８（ａ）は、同時分割映像表示装置の時分割色分離装置に用いられるカラーホイールの合成カラーリング内に生じさせ得る４種類のカラーフィルタの状態のうちの第４の状態を生じさせる場合において３枚のカラーホイールの基準点の合わせ方を第４の合わせ方としたときのカラーフィルタ間の角度の関係を模式的に示す図、また、同図（ｂ）は、図１８（ａ）に示す第４の合わせ方としたときのカラーホイールで得られる合成カラーリングを示す図である。
なお、以下においては、図１５（ａ）及びも図１５（ｂ）は、それぞれ図１２の（ａ）及び図１２の（ｂ）ともいう。図１６乃至図１８においても、また、同様である。
【０１１２】
この実施例の構成が、第１実施例のそれと大きく異なるところは、赤色フィルタ、緑色フィルタ、白色フィルタ及び青色フィルタのうちの予め決められた３つのカラーフィルタ間に４種類のカラーフィルタの状態を生じさせ得るようにした点である。
すなわち、この実施例の時分割映像表示装置１０Ｂ（図１には図示せず）に用いられるカラーホイール５４は、３枚のカラーホイール（以下、サブカラーホイール５４Ａ、サブカラーホイール５４Ｂ及びサブカラーホイール５４Ｃという）から構成される。
サブカラーホイール５４Ａは、図１４の（ａ）に示すように、基準点５４ＲＡから反時計式方向に白色フィルタ５５Ｗｒｂ、赤色フィルタ５５Ｒｒ、白色フィルタ５５Ｗｇｒ、緑色フィルタ５５Ｇｇ、白色フィルタ５５Ｗｂｇ及び青色フィルタ５５Ｂｂが１つのカラーリング内に順次配置されている。
白色フィルタ５５Ｗｒｂの挟角Ｗｒｂは４０゜であり、赤色フィルタ５５Ｒｒの挟角Ｒｒは７０゜であり、白色フィルタ５５Ｗｇｒの挟角Ｗｇｒは４０゜であり、緑色フィルタ５５Ｇｇの挟角Ｇｇは７０゜であり、白色フィルタ５５Ｗｂｇの挟角Ｗｂｇは５０゜であり、青色フィルタ５５Ｂｂの挟角Ｂｂは９０゜である。
【０１１３】
サブカラーホイール５４Ｂは、図１４の（ｂ）に示すように、基準点５４ＲＢから反時計式方向に赤色フィルタ５７Ｒｒｂ、白色フィルタ５７Ａａ１及び青色フィルタ５７Ｂｒｂが１つのカラーリング内に順次配置されている。
赤色フィルタ５７Ｒｒｂの挟角Ｒｒｂは４０゜であり、白色フィルタ５７Ａａ１の挟角Ａａ１は２８０゜であり、青色フィルタ５７Ｂｒｂの挟角Ｂｒｂは４０゜である。
【０１１４】
サブカラーホイール５４Ｃは、図１４の（ｃ）に示すように、基準点５４ＲＣから反時計式方向に緑色フィルタ５９Ｇｇｒ、白色フィルタ５９Ａａ１及び赤色フィルタ５９Ｒｇｒが１つのカラーリング内に順次配置されている。
緑色フィルタ５９Ｇｇｒの挟角Ｇｇｒは４０゜であり、白色フィルタ５９Ａａ１の挟角Ａａ１は２８０゜であり、赤色フィルタ５９Ｒｇｒの挟角Ｒｇｒは４０゜である。
【０１１５】
時分割色分離装置１８Ｂ（図１及び図２と同様の図は示さず）のカラーホイール５４は、上述のように、３枚のサブカラーホイール５４Ａ、５４Ｂ及び５４Ｃから構成されており、３枚のサブカラーホイール５４Ａ、５４Ｂ及び５４Ｃはモータ１６の回転軸上に回動機構１７Ｂ（図１及び図２と同様の図は示さず）を介して軸支され、かつ、回動機構１７Ｂは制御部２８Ｂ（図１及び図２と同様の図は示さず）によって制御される。回動機構１７Ｂは、サブカラーホイール５４Ａ、５４Ｂ及び５４Ｃを、相対的に回動し得るように軸支すると共に、色分離を時分割で行う回転速度でモータ１６によって回転され得るように構成されている。
また、回動機構１７Ｂは、サブカラーホイール５４Ｂの基準点５４ＲＢをサブカラーホイール５４Ａの基準点５４ＲＡから０゜乃至４０゜の範囲でサブカラーホイール５４Ａとサブカラーホイール５４Ｂとを相対的に回動させ得ると共に、サブカラーホイール５４Ｃの基準点５４ＲＣをサブカラーホイール５４Ａのもう１つの基準点５４ＲＡ′から０゜乃至４０゜の範囲でサブカラーホイール５４Ａとサブカラーホイール５４Ｃとを相対的に回動させ得る。
そして、上記回転速度は、例えば、映像信号の垂直同期信号と同期している回転速度である。
この構成を除く実施例の各部の構成は、第１実施例と同一構成であるので、それらの各部には図１及び図２と同一の参照番号を付してその逐一の説明を省略する。
【０１１６】
次に、図１、図２及び図１４乃至図１８を参照して、この実施例の動作について説明する。
時分割映像表示装置１０Ｂにおいて、投射レンズ部３０かから投影スクリーン上に光を投射するのに先立って、サブカラーホイール５４Ａとサブカラーホイール５４Ｂとサブカラーホイール５４Ｃとを相対的に回動させてサブカラーホイール５４Ａの基準点５４ＲＡとサブカラーホイール５４Ｂの基準点５４ＲＢとの間の相対的角度を、説明の都合上、０゜又は４０゜に設定し、かつ、サブカラーホイール５４Ａの基準点５４ＲＡ′とサブカラーホイール５４Ｃの基準点５４ＲＣとの間の相対的角度を、説明の都合上、０゜又は４０゜に設定する場合について説明する。
【０１１７】
先ず、サブカラーホイール５４Ａの基準点５４ＲＡとサブカラーホイール５４Ｂの基準点５４ＲＢとの間の相対的角度を０゜に設定し、かつ、サブカラーホイール５４Ａの基準点５４ＲＡ′とサブカラーホイール５４Ｃの基準点５４ＲＣとの間の相対的角度を０゜に設定した第１の例について説明する。
相対的角度を上記第１の例のように設定した状態を図１５に示す。図１５の（ａ）は、サブカラーホイール５４Ａとサブカラーホイール５４Ｂとサブカラーホイール５４Ｃを同心円上に模式的に示している。サブカラーホイール５４Ａのカラーリング５５ＣＲは、最外側のカラーリングで示し、サブカラーホイール５４Ｂのカラーリング５７ＣＲは、最外側に次ぐ内側のカラーリングで示し、サブカラーホイール５４Ｃのカラーリング５９ＣＲは、最内側のカラーリングで示してある。
相対的角度を上記第１の例のように設定してあるから、サブカラーホイール５４Ａの基準点５４ＲＡとサブカラーホイール５４Ｂの基準点５４ＲＢとは、図１５の（ａ）に示すように、一致し、サブカラーホイール５４Ａの基準点５４ＲＡ′とサブカラーホイール５４Ｃの基準点５４ＲＣとも一致している。
【０１１８】
したがって、サブカラーホイール５４Ａの白色フィルタ５５Ｗｒｂとサブカラーホイール５５Ｂの赤色フィルタ５７Ｒｒｂとが重なり、かつ、サブカラーホイール５４Ａの青色フィルタ５５Ｂｂ内の白色フィルタ５５Ｗｒｂ側の挟角４０゜分の領域とサブカラーホイール５５Ｂの青色フィルタ５７Ｂｒｂとが重なる。また、サブカラーホイール５４Ａの赤色フィルタ５５Ｒｒ内の白色フィルタ５５Ｗｇｒ側の挟角４０゜分の領域とサブカラーホイール５５Ｃの赤色フィルタ５７Ｒｇｒとが重なり、かつ、サブカラーホイール５４Ａの白色フィルタ５５Ｗｇｒとサブカラーホイール５５Ｃの緑色フィルタ５９Ｇｇｒとが重なる。
また、サブカラーホイール５４Ａの上記以外のカラーフィルタは、サブカラーホイール５４Ｂ及びサブカラーホイール５４Ｃの白色フィルタと重なる。
【０１１９】
結果として、３枚のサブカラーホイール５４Ａ、５４Ｂ、５４Ｃから構成されるカラーホイール５４の合成カラーリング５４Ｃ１内の赤色フィルタは、図１５の（ｂ）に示す挟角Ｒ１＝１１０°の赤色フィルタ５４Ｒ１のようになり、カラーホイール５４の合成カラーリング５４Ｃ１内の緑色フィルタは、図１５の（ｂ）に示す挟角が１１０゜の緑色フィルタ５４Ｇ１のようになる。
また、カラーホイール５４の合成カラーリング５４Ｃ１内の白色フィルタは、図１５の（ｂ）に示す挟角が５０゜の白色フィルタ５４Ａ１となり、カラーホイール５４の合成カラーリング５４Ｃ１内の青色フィルタは、図１５の（ｂ）に示す挟角が９０゜の青色フィルタ５４Ｂ１となる。
【０１２０】
次に、サブカラーホイール５４Ａの基準点５４ＲＡとサブカラーホイール５４Ｂの基準点５４ＲＢとの間の相対的角度を４０゜に設定し、かつ、サブカラーホイール５４Ａの基準点５４ＲＡ′とサブカラーホイール５４Ｃの基準点５４ＲＣとの間の相対的角度を０゜に設定した第２の例について説明する。
相対的角度を上記第２の例のように設定した状態を図１６に示す。図１６の（ａ）は、サブカラーホイール５４Ａとサブカラーホイール５４Ｂとサブカラーホイール５４Ｃを同心円上に模式的に示している。サブカラーホイール５４Ａのカラーリング５５ＣＲは、最外側のカラーリングで示し、サブカラーホイール５４Ｂのカラーリング５７ＣＲは、最外側に次ぐ内側のカラーリングで示し、サブカラーホイール５４Ｃのカラーリング５９ＣＲは、最内側のカラーリングで示してある。
相対的角度を上記第２の例のように設定してあるから、サブカラーホイール５４Ｂの基準点５４ＲＢは、図１６の（ａ）に示すように、サブカラーホイール５４Ａの基準点５４ＲＡから４０゜だけ反時計式方向にずれ、サブカラーホイール５４Ａの基準点５４ＲＡ′とサブカラーホイール５４Ｃの基準点５４ＲＣとは一致している。
【０１２１】
したがって、サブカラーホイール５４Ａの赤色フィルタ５５Ｒｒ内の白色フィルタ５５Ｗｒｂ側の挟角４０゜分の領域とサブカラーホイール５５Ｂの赤色フィルタ５７Ｒｒｂとが重なり、サブカラーホイール５４Ａの白色フィルタ５５Ｗｒｂとサブカラーホイール５５Ｂの青色フィルタ５７Ｂｒｂとが重なる一方、サブカラーホイール５４Ａの赤色フィルタ５５Ｒｒ内の白色フィルタ５５Ｗｇｒ側の挟角４０゜分の領域とサブカラーホイール５５Ｃの赤色フィルタ５７Ｒｒｂとが重なり、サブカラーホイール５４Ａの白色フィルタ５５Ｗｇｒとサブカラーホイール５５Ｃの緑色フィルタ５９Ｇｇｒとが重なる。
サブカラーホイール５４Ａの残りのカラーフィルタは、サブカラーホイール５４Ｂ及びサブカラーホイール５４Ｃの対応する白色フィルタと重なる。
【０１２２】
結果として、３枚のサブカラーホイール５４Ａ、５４Ｂ、５４Ｃから構成されるカラーホイール５４の合成カラーリング５４Ｃ２内の赤色フィルタは、図１６の（ｂ）に示す挟角Ｒ２＝７０°の赤色フィルタ５４Ｒ２のようになり、カラーホイール５４の合成カラーリング５４Ｃ２内の緑色フィルタは、図１６の（ｂ）に示す挟角が１１０゜の緑色フィルタ５４Ｇ２のようになる。また、サブカラーホイール５４の合成カラーリング５４Ｃ２内の青色フィルタは、図１６の（ｂ）に示す挟角が１３０゜の青色フィルタ５４Ｂ２のようになる。
カラーホイール５４の合成カラーリング５４Ｃ２内の白色フィルタ５４Ａ２の挟角は、この実施例の第１の例におけるカラーホイール５４の合成カラーリング５４Ｃ１内の白色フィルタ５４Ａ１と同様５０゜である。
【０１２３】
第３に、サブカラーホイール５４Ａの基準点５４ＲＡとサブカラーホイール５４Ｂの基準点５４ＲＢとの間の相対的角度を０゜に設定し、かつ、サブカラーホイール５４Ａの基準点５４ＲＡ′とサブカラーホイール５４Ｃの基準点５４ＲＣとの間の相対的角度を４０゜に設定した第３の例について説明する。
相対的角度を上記第３の例のように設定した状態を図１７に示す。図１７の（ａ）は、サブカラーホイール５４Ａとサブカラーホイール５４Ｂとサブカラーホイール５４Ｃを同心円上に模式的に示している。サブカラーホイール５４Ａのカラーリング５５ＣＲは、最外側のカラーリングで示し、サブカラーホイール５４Ｂのカラーリング５７ＣＲは、最外側に次ぐ内側のカラーリングで示し、サブカラーホイール５４Ｃのカラーリング５９ＣＲは、最内側のカラーリングで示してある。
相対的角度を上記第３の例のように設定してあるから、サブカラーホイール５４Ａの基準点５４ＲＡとサブカラーホイール５４Ｂの基準点５４ＲＢとは、図１７の（ａ）に示すように、一致し、サブカラーホイール５４Ｃの基準点５４ＲＣは、サブカラーホイール５４Ａの基準点５４ＲＡ′から４０゜だけ反時計式方向にずれている。
【０１２４】
したがって、サブカラーホイール５４Ａの白色フィルタ５５Ｗｒｂとサブカラーホイール５５Ｂの赤色フィルタ５７Ｂｒｂとが重なり、かつ、サブカラーホイール５４Ａの青色フィルタ５５Ｂｂ内の白色フィルタ５５Ｗｒｂ側の挟角４０゜分の領域とサブカラーホイール５５Ｂの青色フィルタ５７Ｂｒｂとが重なる一方、サブカラーホイール５４Ａの白色フィルタ５５Ｗｇｒとサブカラーホイール５５Ｃの赤色フィルタ５９Ｒｇｒとが重なり、サブカラーホイール５４Ａの緑色フィルタ５５Ｇｇｒ内の白色フィルタ５５Ｗｇｒ側の挟角４０゜分の領域とサブカラーホイール５５Ｃの緑色フィルタ５９Ｇｇｒとが重なる。
また、サブカラーホイール５４Ａの残りのカラーフィルタは、サブカラーホイール５４Ｂ及びサブカラーホイール５４Ｃの対応する白色フィルタと重なる。
【０１２５】
結果として、３枚のサブカラーホイール５４Ａ、５４Ｂ、５４Ｃから構成されるカラーホイール５４の合成カラーリング５４Ｃ３内の赤色フィルタは、図１７の（ｂ）に示す挟角が１５０°の赤色フィルタ５４Ｒ３のようになり、カラーホイール５４の合成カラーリング５４Ｃ３内の緑色フィルタは、図１７の（ｂ）に示す挟角が７０゜の緑色フィルタ５４Ｇ３のようになる。
また、カラーホイール５４の合成カラーリング５４Ｃ３内の白色フィルタは、図１７の（ｂ）に示す挟角が５０゜の白色フィルタ５４Ａ３となり、カラーホイール５４の合成カラーリング５４Ｃ３内の青色フィルタは、図１７の（ｂ）に示す挟角が９０゜の青色フィルタ５４Ｂ３となる。
【０１２６】
最後に、サブカラーホイール５４Ａの基準点５４ＲＡとサブカラーホイール５４Ｂの基準点５４ＲＢとの間の相対的角度を４０゜に設定し、かつ、サブカラーホイール５４Ａの基準点５４ＲＡ′とサブカラーホイール５４Ｃの基準点５４ＲＣとの間の相対的角度を４０゜に設定した第４の例について説明する。
相対的角度を上記第４の例のように設定した状態を図１８に示す。図１８の（ａ）は、サブカラーホイール５４Ａとサブカラーホイール５４Ｂとサブカラーホイール５４Ｃを同心円上に模式的に示している。サブカラーホイール５４Ａのカラーリング５５ＣＲは、最外側のカラーリングで示し、サブカラーホイール５４Ｂのカラーリング５７ＣＲは、最外側に次ぐ内側のカラーリングで示し、サブカラーホイール５４Ｃのカラーリング５９ＣＲは、最内側のカラーリングで示してある。
相対的角度を上記第４の例のように設定してあるから、サブカラーホイール５４Ｂの基準点５４ＲＢは、図１６の（ａ）に示すように、サブカラーホイール５４Ａの基準点５４ＲＡから反時計式方向に４０゜だけずれており、サブカラーホイール５４Ｃの基準点５４ＲＣは、サブカラーホイール５４Ａの基準点５４ＲＡ′から反時計式方向に４０゜だけずれている。
【０１２７】
したがって、サブカラーホイール５４Ａの赤色フィルタ５５Ｒｒ内の白色フィルタ５５Ｗｒｂ側の挟角４０゜分の領域とサブカラーホイール５５Ｂの赤色フィルタ５７Ｂｒｂとが重なり、かつ、サブカラーホイール５４Ａの白色フィルタ５５Ｗｒｂとサブカラーホイール５５Ｂの青色フィルタ５７Ｂｒｂとが重なる一方、サブカラーホイール５４Ａの白色フィルタ５５Ｗｇｒとサブカラーホイール５５Ｃの赤色フィルタ５９Ｒｇｒとが重なり、かつ、サブカラーホイール５４Ａの緑色フィルタ５５Ｇｇｒ内の白色フィルタ５５Ｗｇｒ側の挟角４０゜分の領域とサブカラーホイール５５Ｃの緑色フィルタ５９Ｇｇｒとが重なる。
【０１２８】
結果として、３枚のサブカラーホイール５４Ａ、５４Ｂ、５４Ｃから構成されるカラーホイール５４の合成カラーリング５４Ｃ４内の赤色フィルタは、図１８の（ｂ）に示す挟角が１１０°の赤色フィルタ５４Ｒ４のようになり、カラーホイール５４の合成カラーリング５４Ｃ４内の緑色フィルタは、図１８の（ｂ）に示す挟角Ｇ４が７０゜の緑色フィルタ５４Ｇ４のようになる。また、カラーホイール５４の合成カラーリング５４Ｃ４内の青色フィルタは、図１８の（ｂ）に示す挟角が１３０゜の青色フィルタ５４Ｂ４のようになる。
この実施例の第４の例におけるカラーホイール５４の合成カラーリング５４Ｃ４内の白色フィルタ５４Ａ４は、この実施例の他の各例と同様、挟角が５０゜の領域となる。
【０１２９】
この実施例においても、時分割色分離装置１８から出射された光は、【従来の技術】の項で説明したと同様にして、導光路（ライトトンネル）２０及びコンデンスレンズ２２を経てミラー２４に入射され、ミラー２４で反射される。ミラー２４で反射された赤色光成分Ｒ、緑色光成分Ｇ、青色光成分Ｂ及び白色光Ｗの各々は、反射型表示デバイス２６に入射され、そこで制御部２８の制御の下に上記色分離と同期して電気的に制御されて光量が変化させられる。反射型表示デバイス２６から出射された赤色光成分Ｒ、緑色光成分Ｇ、青色光成分Ｂ及び白色光Ｗの各々は、投射レンズ部３０を介して投影スクリーン（図示せず）上へ投射されて映像の表示に用いられる。
【０１３０】
このように、この実施例の構成によれば、サブカラーホイール５４Ａの白色フィルタ５５Ｗｒｂ、赤色フィルタ５５Ｒｒ、白色フィルタ５５Ｗｇｒ、緑色フィルタ５５Ｇｇ、白色フィルタ５５Ｗｂｇ及び青色フィルタ５５Ｂｂを、それぞれ、基準点５４ＲＡから順次反時計式方向に４０゜、７０゜、４０゜、７０゜、５０゜及び９０゜の挟角ずつ取って１つのカラーリング５５ＣＲ内に形成し、サブカラーホイール１４Ｂの赤色フィルタ５７Ｒｒｂ、白色フィルタ５７Ａａ１及び青色フィルタ５７Ｂｒｂも同様に、基準点５４ＲＢから順次反時計式方向に４０゜、２８０゜及び４０゜の挟角ずつ取ってカラーリング５５ＣＲと同一の内外径を有する１つのカラーリング５７ＣＲに形成し、かつ、サブカラーホイール１４Ｃの緑色フィルタ５９Ｇｇｒ、白色フィルタ５９Ａａ１及び赤色フィルタ５９Ｒｇｒも同様に、基準点５４ＲＣから順次反時計式方向に４０゜、２８０゜及び４０゜の挟角ずつ取ってカラーリング５５ＣＲと同一の内外径を有する１つのカラーリング５９ＣＲに形成し、サブカラーホイール５４Ａの基準点５４ＲＡとサブカラーホイール５４Ｂの基準点５４ＲＢとのずれを０゜とするか又は４０゜とし、かつ、サブカラーホイール５４Ａの基準点５４ＲＡ′とサブカラーホイール５４Ｃの基準点５４ＲＣとのずれを０゜とするか又は４０゜とすることによって、４種類の合成カラーリングをカラーホイールの交換なしにカラーホイール５４に設定することができる。
このカラーホイールの光透過状態の変更に伴う時分割で行われる色分離のタイミングに反射型表示デバイスの表示タイミングを同期させて表示させるようにすれば、ホワイトバランスの所望の特性への設定を容易に達成することが可能になる。
【０１３１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記いずれの実施例においても、カラーホイールについて説明したが、カラーホイールと同様に形成される赤色フィルタ、緑色フィルタ、青色フィルタ及び白色フィルタを有する無端ベルト、ドラム（カラーフィルタ担持体）においてもこの発明を実施することができる。すなわち、光源から照射される光に対して、カラーフィルタ担持体に予め決められた配列順序で形成された各カラーフィルタ（例えば、赤色フィルタ、緑色フィルタ、青色フィルタ及び白色フィルタ）を繰り返して出現させるように構成し、かつ、各カラーフィルタをカラーフィルタ担持体に上記実施例と同様に形成してこの発明を実施することができる。
また、カラーフィルタ担持体としては、赤色、緑色、青色及び白色以外のシアン、マゼンタ及びイエロー等を透過するカラーフィルタを形成したものであってもよい。
【０１３２】
また、第１実施例において、０゜とＷａｇ１゜とで２枚のサブカラーホイールを相対的なずれを生じさせる場合について説明したが、Ｗａｇ１゜を所定角度だけ超えてずらすことも可能である。そのときに生ずる黒色フィルタは、シャッタ的作用に用いることができる。また、Ｗａｇ１゜を所定角度だけ手前にずらすことも可能である。その各々の場合の色分離のタイミングは、第１実施例の場合のタイミングと異なる。
また、基準境界の位置を示す印としては、磁気的、光学的なものであってもよい。
【０１３３】
また、第２実施例において、相対的角度を０゜と４０゜との間の任意の角度に設定してカラーホイール４４の合成カラーリング内の赤色フィルタと青色フィルタとを任意に変更することができる。
また、カラーホイール４４において、サブカラーホイール４４Ａの赤色フィルタと緑色フィルタとの境界に対応するサブカラーホイール４４Ｂの白色フィルタの位置の両側に挟角４０゜の赤色フィルタと緑色フィルタとを形成してカラーホイール４４の合成カラーリング内の赤色フィルタと緑色フィルタとを任意に変更することができる。
また、同様の処置をサブカラーホイール４４Ａの緑色フィルタと白色フィルタとに対しても、また、白色フィルタと青色フィルタとに対しても採り得る。
これらのいずれの場合にも、相対的角度を０゜と４０゜との間の角度以外の任意の角度を選定することができる。
また、第２実施例について上述したことは、第３実施例についても当て嵌まる。
【０１３４】
【発明の効果】
以上説明したように、この発明の構成によれば、それぞれ所定のサイズを持つ、赤の原色光のみを透過させる第１のカラーフィルタと、緑の原色光のみを透過させる第２のカラーフィルタと、青の原色光のみを透過させる第３のカラーフィルタと、全ての原色光を透過させる透過領域とが、任意の隣接関係の下で、円周方向に分布してなるカラーホイールを備える時分割映像表示装置乃至カラーホイール組立体であって、少なくとも２枚以上のカラーホイールが、異なる種類の上記カラーフィルタ同士は重ならないが、少なくとも１つの透過領域の一部又は全部は、任意のカラーフィルタと重なるという条件の下で、互いに、軸心を共通にして、かつ、当接状態で、或るいは、所定の距離を隔てられた状態で、重ね合わせられて時分割映像表示装置乃至カラーホイール組立体が構成されているから、カラーホイールの交換なしに、カラーホイールに複数色の合成カラーリングのうちの１つの合成カラーリングを択一的に設定することができる。
このような合成カラーリングの択一的な変更に伴って時分割で行われる色分離のタイミングに反射型表示デバイスの表示タイミングを同期させて表示させるようにすれば、明るさ、色バランス、ホワイトバランス等の光学的特性の所望の特性への設定を容易に達成することが可能になる。また、シャッタ的な機能も創出することもできる。
【図面の簡単な説明】
【図１】この発明の第１実施例である時分割映像表示装置の構成図である。
【図２】同時分割映像表示装置に用いられる２枚のカラーホイールの装着状態を示す図である。
【図３】図３（ａ）は、同時分割映像表示装置に用いられる２枚のカラーホイールのうちの一方のカラーホイールのカラーリングの構成を示す図で、同図３（ｂ）は、同時分割映像表示装置に用いられる２枚のカラーホイールのうちの他方のカラーホイールのカラーリングの構成を示す図である。
【図４】図４（ａ）は、同時分割映像表示装置に用いられる２枚のカラーホイールの基準点を一致させた場合のカラーフィルタ間の角度の関係を模式的に示す図、図４（ｂ）は、図４（ａ）に示す２枚のカラーホイールの基準点を一致させた場合にカラーホイールで得られる合成カラーリングを示す図である。
【図５】図５の（ａ）は、同時分割映像表示装置に用いられる２枚のカラーホイールの基準点を一定の角度Ｗｗｇ１だけずらせた場合のカラーフィルタ間の角度の関係を模式的に示す図、同図（ｂ）は、図５（ａ）に示す２枚のカラーホイールの基準点間に一定の角度Ｗｗｇ１゜を与えた場合にカラーホイールで得られる合成カラーリングを示す図である。
【図６】図６（ａ）は、同時分割映像表示装置でカラーホイールを用いる１つの例において２枚のカラーホイールの基準点を一致させた場合のカラーフィルタ間の角度の関係を模式的に示す図、同図（ｂ）は、図６（ａ）に示す２枚のカラーホイールの基準点を一致させた場合に２枚のカラーホイールで得られる合成カラーリングを示す図である。
【図７】図７（ａ）は、同時分割映像表示装置でカラーホイールを用いる１つの例において２枚のカラーホイールの基準点を４０゜だけずらせた場合のカラーフィルタ間の角度の関係を模式的に示す図、同図（ｂ）は、図７（ａ）に示す２枚のカラーホイールの基準点を４０゜だけずらせた場合２枚のカラーホイールで得られる合成カラーリングを示す図である。
【図８】同時分割映像表示装置で用いられる他の例における２枚のカラーホイールを示す図である。
【図９】図９（ａ）は、同時分割映像表示装置でカラーホイールを用いる上記他の例において２枚のカラーホイールの各基準点を一致させた場合のカラーフィルタ間の角度の関係を模式的に示す図、同図（ｂ）は、図９（ａ）に示す２枚のカラーホイールの基準点を一致させた場合に２枚のカラーホイールで得られる合成カラーリングを示す図である。
【図１０】図１０（ａ）は、同時分割映像表示装置でカラーホイールを用いる上記他の例において２枚のカラーホイールの各基準点間を５２度ずらせた場合のカラーフィルタ間の角度の関係を模式的に示す図、同図（ｂ）は、図１０（ａ）に示す２枚のカラーホイールの基準点間を５２度ずらせた場合に２枚のカラーホイールで得られる合成カラーリングを示す図である。
【図１１】この発明の第２実施例である時分割映像表示装置の時分割色分離装置に用いられる２枚のカラーホイールを示す図である。
【図１２】図１２（ａ）は、同時分割映像表示装置で用いる２枚のカラーホイールの基準点を一致させたときのカラーフィルタ間の角度の関係を模式的に示す図、同図（ｂ）は、図１２（ａ）に示す２枚のカラーホイールの基準点を一致させたときの２枚のカラーホイールで得られる合成カラーリングを示す図である。
【図１３】図１３（ａ）は、同時分割映像表示装置で用いる２枚のカラーホイールの基準点を４０゜だけずらせたときのカラーフィルタ間の角度の関係を模式的に示す図、同図（ｂ）は、図１３（ａ）に示す２枚のカラーホイールの基準点を４０゜だけずらせたときの２枚のカラーホイールで得られる合成カラーリングを示す図である。
【図１４】この発明の第３実施例である時分割映像表示装置の時分割色分離装置に用いられる３枚のカラーホイールを示す図である。
【図１５】図１５（ａ）は、同時分割映像表示装置で用いる３枚のカラーホイールで得られる合成カラーリングに第１のカラーフィルタの状態を設定させる場合における第１の基準点の合わせ方としたときのカラーフィルタ間の角度の関係を模式的に示す図、同図（ｂ）は、図１５（ａ）に示す第１の基準点の合わせ方としたときの３枚のカラーホイールで得られる合成カラーリングを示す図である。
【図１６】図１６（ａ）は、同時分割映像表示装置で用いる３枚のカラーホイールで得られる合成カラーリングに第２のカラーフィルタの状態を設定させる場合における第２の基準点の合わせ方としたときのカラーフィルタ間の角度の関係を模式的に示す図、同図（ｂ）は、図１６（ａ）に示す第２の基準点の合わせ方としたときの３枚のカラーホイールで得られる合成カラーリングを示す図である。
【図１７】図１７は、同時分割映像表示装置で用いる３枚のカラーホイールで得られる合成カラーリングに第３のカラーフィルタの状態を設定させる場合における第３の基準点の合わせ方としたときのカラーフィルタ間の角度の関係を模式的に示す図、同図（ｂ）は、図１７（ａ）に示す第３の基準点の合わせ方としたときの３枚のカラーホイールで得られる合成カラーリングを示す図である。
【図１８】図１８（ａ）は、同時分割映像表示装置で用いる３枚のカラーホイールで得られる合成カラーリングに第４のカラーフィルタの状態を設定させる場合における第４の基準点の合わせ方としたときのカラーフィルタ間の角度の関係を模式的に示す図、同図（ｂ）は、図１８（ａ）に示す第４の基準点の合わせ方としたときの３枚のカラーホイールで得られる合成カラーリングを示す図である。
【図１９】従来の時分割映像表示装置の構成を示す図である。
【図２０】図２０（ａ）は、プレゼンテーション向けの従来の時分割映像表示装置に用いられるカラーホイールの例を示す図、同図（ｂ）は、ホームシアター向けの従来の時分割映像表示装置に用いられるカラーホイールの例を示す図である。
【符号の説明】
１０、１０Ａ、１０Ｂ      時分割映像表示装置
１２      光源部
１４      カラーホイール
１６      モータ
１８、１８Ｂ      時分割色分離装置
２０      導光部
２２      コンデンスレンズ
２４      ミラー
２６      反射型表示デバイス
２８      制御部
３０      投射レンズ部
１４Ａ、１４Ｂ      サブカラーホイール
２４Ａ、２４Ｂ      サブカラーホイール
３４Ａ、３４Ｂ      サブカラーホイール
４４Ａ、４４Ｂ      サブカラーホイール
５４Ａ、５４Ｂ      サブカラーホイール
１５Ｗｒｂ１      白色フィルタ（第１の白色フィルタ）
１５Ｒｒ１        赤色フィルタ
１５Ｗｇｒ１      白色フィルタ（第２の白色フィルタ）
１５Ｇｇ１        緑色フィルタ
１５Ｗａｇ１      白色フィルタ（第３の白色フィルタの第１の領域）
１５Ａａ１        白色フィルタ（第３の白色フィルタの第２の領域）
１５Ｗｂａ１      白色フィルタ（第３の白色フィルタの第３の領域）
１５Ｂｂ１        青色フィルタ
１７Ｒｒｂ２      赤色フィルタ（赤色フィルタの第１の領域）
１７Ｒｒ２        赤色フィルタ（赤色フィルタの第２の領域）
１７Ｒｇｒ２      赤色フィルタ（赤色フィルタの第３の領域）
１７Ｗｇｒ２      白色フィルタ（第１の白色フィルタ）
１７Ｇｇｒ２      緑色フィルタ（緑色フィルタの第１の領域）
１７Ｇｇ２、      緑色フィルタ（緑色フィルタの第２の領域）
１７Ｇａｇ２      緑色フィルタ（緑色フィルタの第３の領域）
１７Ｗａｇ２      白色フィルタ（第２の白色フィルタの第１の領域）
１７Ａａｇ２      白色フィルタ（第２の白色フィルタの第２の領域）
１７Ａａ２        白色フィルタ（第２の白色フィルタの第３の領域）
１７Ａｂａ２      白色フィルタ（第２の白色フィルタの第４の領域）
１７Ｗｂａ２      白色フィルタ（第２の白色フィルタの第５の領域）
１７Ｂｂａ２      青色フィルタ（青色フィルタの第１の領域）
１７Ｂｂ２        青色フィルタ（青色フィルタの第２の領域）
１７Ｂｒｂ２      青色フィルタ（青色フィルタの第３の領域）
１７Ｗｒｂ２      白色フィルタ（第３の白色フィルタ）
【図１】
2004245886.tif 000018
【図２】
2004245886.tif 000019
【図３】
2004245886.tif 000020
【図４】
2004245886.tif 000021
【図５】
2004245886.tif 000022
【図６】
2004245886.tif 000023
【図７】
2004245886.tif 000024
【図８】
2004245886.tif 000025
【図９】
2004245886.tif 000026
【図１０】
2004245886.tif 000027
【図１１】
2004245886.tif 000028
【図１２】
2004245886.tif 000029
【図１３】
2004245886.tif 000030
【図１４】
2004245886.tif 000031
【図１５】
2004245886.tif 000032
【図１６】
2004245886.tif 000033
【図１７】
2004245886.tif 000034
【図１８】
2004245886.tif 000035
【図１９】
2004245886.tif 000036
【図２０】
2004245886.tif 000037